(57)【要約】  第１の無線デバイス（２０）が、第２の無線デバイス（１０）からの第１の無線送信（１０１）を受信する。第１の無線デバイス（２０）による第１の無線送信（１０１）の受信が不成功であることに応答して、第１の無線デバイス（２０）は、第２の無線デバイス（１０）へ第２の無線送信（１０３）を送る。第２の無線送信（１０３）は、第１の無線デバイス（２０）による第１の無線送信（１０１）の受信が不成功であった旨の第２の無線デバイス（１０）への表示を含む。第１の無線デバイス（２０）は、第２の無線送信（１０３）を、第１の無線デバイス（２０）による第１の無線送信（１０１）の受信が成功であったということを第２の無線デバイス（１０）に示す肯定応答メッセージを含むものとして、第２の無線デバイス（１０）への送信可メッセージを含むものとして、またはその他の無線デバイス（３０）によってサポートされるその他の何らかのレガシーメッセージとして、第２の無線デバイス（１０）以外の１つまたは複数の無線デバイス（３０）によって復号可能であるように生成する。【選択図】図１
2021515444.tif 000002
【特許請求の範囲】
【請求項１】
無線通信ネットワークにおける無線送信を制御する方法であって、
第１の無線デバイス（２０、８００、１１００）が、第２の無線デバイス（１０、１０００、１１００）から第１の無線送信（１０１）を受信することと、
前記第１の無線デバイス（２０、８００、１１００）による前記第１の無線送信（１０１）の受信が不成功であることに応答して、前記第１の無線デバイス（２０、８００、１１００）が、前記第２の無線デバイスへ第２の無線送信（１０３）を送ることであって、前記第２の無線送信（１０３）が、前記第１の無線デバイス（２０、８００、１１００）による前記第１の無線送信（１０１）の受信が不成功であった旨の前記第２の無線デバイス（１０、１０００、１１００）への表示を含む、第２の無線送信（１０３）を送ることと、
前記第１の無線デバイス（２０、８００、１１００）が、前記第２の無線送信（１０３）を、前記第１の無線デバイス（２０、８００、１１００）による前記第１の無線送信（１０１）の受信が成功であったということを前記第２の無線デバイス（１０、１０００、１１００）に示す肯定応答メッセージを含むものとして、または前記第２の無線デバイス（１０、１０００、１１００）への送信可メッセージを含むものとして、前記第２の無線デバイス（１０、１０００、１１００）以外の１つまたは複数の無線デバイス（３０）によって復号可能であるように生成することとを含む、
無線送信を制御する方法。
【請求項２】
前記第２の無線送信（１０３）が、前記肯定応答メッセージまたは送信可メッセージに割り当てられている周波数リソース（３１０）とは異なる周波数リソース（３２０）上で前記第２の無線デバイス（１０、１０００、１１００）への前記表示を伝達する、
請求項１に記載の方法。
【請求項３】
前記第２の無線デバイス（１０、１０００、１１００）への前記表示を伝達する前記周波数リソース（３２０）が、前記肯定応答メッセージまたは送信可メッセージに割り当てられている前記周波数リソース（３１０）に隣接している、
請求項２に記載の方法。
【請求項４】
前記第２の無線送信（１０３）が、前記肯定応答メッセージまたは送信可メッセージに割り当てられている周波数リソース（４１０）のサブセット（４２０）上で前記第２の無線デバイス（１０、１０００、１１００）への前記表示を伝達する、
請求項１から３のいずれか一項に記載の方法。
【請求項５】
周波数リソースの前記サブセット（４１０）が、前記肯定応答メッセージまたは送信可メッセージの送信のために必要とされない周波数リソースを含む、
請求項４に記載の方法。
【請求項６】
前記第２の無線送信（１０３）が、１次元のコンステレーションダイアグラムを形成するコンステレーションポイント（５１０、５３０）のサブセットを有する２次元のコンステレーションダイアグラムを規定する変調方式に基づいており、
前記サブセットの前記コンステレーションポイント（５１０、５３０）が、前記肯定応答メッセージまたは送信可メッセージを伝達し、
前記２次元のコンステレーションダイアグラムの１つまたは複数のその他のコンステレーションポイント（５２０、５４０）が、前記第２の無線デバイス（１０、１０００、１１００）への前記表示を伝達する、
請求項１から５のいずれか一項に記載の方法。
【請求項７】
前記１次元のコンステレーションダイアグラムが、バイナリー位相シフトキーイングによる復調用に設定されている、
請求項６に記載の方法。
【請求項８】
前記２次元のコンステレーションダイアグラムが、直交位相シフトキーイングまたは直交振幅変調に基づいている、
請求項６または７に記載の方法。
【請求項９】
前記第２の無線送信（１０３）が、マルチレイヤ変調方式に基づいており、前記マルチレイヤ変調のベースレイヤ（６１０、６３０）が、前記肯定応答メッセージまたは送信可メッセージを伝達し、前記マルチレイヤ変調方式の１つまたは複数のさらに高いレイヤ（６２０、６４０）が、前記第２の無線デバイス（１０、１０００、１１００）への前記表示を伝達する、
請求項１から８のいずれか一項に記載の方法。
【請求項１０】
前記第２の無線デバイス（１０、１０００、１１００）への前記表示が、前記第２の無線デバイス（１０、１０００、１１００）への否定応答メッセージを含む、
請求項１から９のいずれか一項に記載の方法。
【請求項１１】
前記第２の無線送信（１０３）が、前記第２の無線デバイス（１０、１０００、１１００）から前記第１の無線デバイス（２０、８００、１１００）へのさらなる無線送信に関する提案される変調および／または符号化方式を示す制御情報を含む、
請求項１から１０のいずれか一項に記載の方法。
【請求項１２】
前記第２の無線送信（１０３）がさらに、前記第１の無線デバイス（２０、８００、１１００）と前記第２の無線デバイス（１０、１０００、１１００）との間における無線チャネル品質を示す制御情報を含む、
請求項１から１１のいずれか一項に記載の方法。
【請求項１３】
前記第２の無線デバイス（１０、１０００、１１００）が、前記制御情報を、前記第１の無線デバイス（２０、８００、１１００）による前記第１の無線送信（１０１）の受信が不成功であった旨の前記表示として解釈するように設定されている、
請求項１１または１２に記載の方法。
【請求項１４】
前記無線送信が、ワイヤレスローカルエリアネットワーク技術に基づいている、
請求項１から１３のいずれか一項に記載の方法。
【請求項１５】
前記無線送信が、セルラ無線アクセス技術の競合ベースのモードに基づいている、
請求項１から１３のいずれか一項に記載の方法。
【請求項１６】
無線通信ネットワークにおける無線送信を制御する方法であって、
第１の無線デバイス（１０、１０００、１１００）が、第２の無線デバイス（２０、８００、１１００）へ第１の無線送信（１０１）を送ることと、
前記第１の無線デバイス（１０、１０００、１１００）が、前記第２の無線デバイス（２０、８００、１１００）からの第２の無線送信（１０３）を受信することであって、前記第２の無線送信（１０３）が、前記第２の無線デバイス（２０、８００、１１００）による前記第１の無線送信（１０１）の受信が不成功であった旨の前記第１の無線デバイス（１０、１０００、１１００）への表示を含む、第２の無線送信（１０３）を受信することとを含み、
前記第２の無線送信（１０３）が、前記第２の無線デバイス（２０、８００、１１００）による前記第１の無線送信の受信が成功であったということを前記第１の無線デバイス（１０、１０００、１１００）に示す肯定応答メッセージを含むものとして、または前記第１の無線デバイス（１０、１０００、１１００）への送信可メッセージを含むものとして、前記第１の無線デバイス（１０、１０００、１１００）以外の１つまたは複数の無線デバイス（３０）によって復号可能である、
無線送信を制御する方法。
【請求項１７】
前記第２の無線送信（１０３）が、前記肯定応答メッセージまたは送信可メッセージに割り当てられている周波数リソース（３１０）とは異なる周波数リソース（３２０）上で前記第１の無線デバイス（１０、１０００、１１００）への前記表示を伝達する、
請求項１６に記載の方法。
【請求項１８】
前記第１の無線デバイス（１０、１０００、１１００）への前記表示を伝達する前記周波数リソース（３２０）が、前記肯定応答メッセージまたは送信可メッセージに割り当てられている前記周波数リソース（３１０）に隣接している、
請求項１７に記載の方法。
【請求項１９】
前記第２の無線送信（１０３）が、前記肯定応答メッセージまたは送信可メッセージに割り当てられている周波数リソース（４１０）のサブセット（４２０）上で前記第１の無線デバイス（１０、１０００、１１００）への前記表示を伝達する、
請求項１６から１８のいずれか一項に記載の方法。
【請求項２０】
周波数リソースの前記サブセット（４２０）が、前記肯定応答メッセージまたは送信可メッセージの送信のために必要とされない周波数リソースを含む、
請求項１９に記載の方法。
【請求項２１】
前記第２の無線送信（１０３）が、１次元のコンステレーションダイアグラムを形成するコンステレーションポイント（５１０、５３０）のサブセットを有する２次元のコンステレーションダイアグラムを規定する変調方式に基づいており、
前記サブセットの前記コンステレーションポイント（５１０、５３０）が、前記肯定応答メッセージまたは送信可メッセージを伝達し、
前記２次元のコンステレーションダイアグラムの１つまたは複数のその他のコンステレーションポイント（５２０、５４０）が、前記第１の無線デバイス（１０、１０００、１１００）への前記表示を伝達する、
請求項１６から２０のいずれか一項に記載の方法。
【請求項２２】
前記１次元のコンステレーションダイアグラムが、バイナリー位相シフトキーイングによる復調用に設定されている、
請求項２１に記載の方法。
【請求項２３】
前記２次元のコンステレーションダイアグラムが、直交位相シフトキーイングまたは直交振幅変調に基づいている、
請求項２１または２２に記載の方法。
【請求項２４】
前記第２の無線送信（１０３）が、マルチレイヤ変調方式に基づいており、前記マルチレイヤ変調のベースレイヤ（６１０、６３０）が、前記肯定応答メッセージまたは送信可メッセージを伝達し、前記マルチレイヤ変調方式の１つまたは複数のさらに高いレイヤ（６２０、６４０）が、前記第１の無線デバイス（１０、１０００、１１００）への前記表示を伝達する、
請求項１６から２３のいずれか一項に記載の方法。
【請求項２５】
前記第１の無線デバイス（１０、１０００、１１００）への前記表示が、前記第１の無線デバイス（１０、１０００、１１００）への否定応答メッセージを含む、
請求項１６から２４のいずれか一項に記載の方法。
【請求項２６】
前記第２の無線送信（１０３）が、前記第１の無線デバイス（１０、１０００、１１００）から前記第２の無線デバイス（２０、８００、１１００）へのさらなる無線送信に関する提案される変調および／または符号化方式を示す制御情報を含む、
請求項１６から２５のいずれか一項に記載の方法。
【請求項２７】
前記第２の無線送信が、前記第１の無線デバイス（１０、１０００、１１００）と前記第２の無線デバイス（２０、８００、１１００）との間における無線チャネル品質を示す制御情報を含む、
請求項１６から２６のいずれか一項に記載の方法。
【請求項２８】
前記第１の無線デバイス（１０、１０００、１１００）が、前記制御情報を、前記第２の無線デバイス（２０、８００、１１００）による前記第１の無線送信（１０１）の受信が不成功であった旨の前記表示として解釈すること
を含む、請求項２６または２７に記載の方法。
【請求項２９】
前記無線送信が、ワイヤレスローカルエリアネットワーク技術に基づいている、
請求項１６から２８のいずれか一項に記載の方法。
【請求項３０】
前記無線送信が、セルラ無線アクセス技術の競合ベースのモードに基づいている、
請求項１６から２８のいずれか一項に記載の方法。
【請求項３１】
無線通信ネットワークのための無線デバイス（２０、８００、１１００）であって、
さらなる無線デバイス（１０、１０００、１１００）からの第１の無線送信（１０１）を受信することと、
前記無線デバイス（２０、８００、１１００）による前記第１の無線送信（１０１）の受信が不成功であることに応答して、前記さらなる無線デバイス（１０、１０００、１１００）へ第２の無線送信（１０３）を送ることであって、前記第２の無線送信（１０３）が、前記無線デバイス（２０、８００、１１００）による前記第１の無線送信（１０１）の受信が不成功であった旨の前記さらなる無線デバイス（１０、１０００、１１００）への表示を含む、第２の無線送信（１０３）を送ることと、
前記第２の無線送信（１０３）を、前記無線デバイス（２０、８００、１１００）による前記第１の無線送信（１０１）の受信が成功であったということを前記さらなる無線デバイス（１０、１０００、１１００）に示す肯定応答メッセージを含むものとして、または前記さらなる無線デバイス（１０、１０００、１１００）への送信可メッセージを含むものとして、前記さらなる無線デバイス（１０、１０００、１１００）以外の１つまたは複数の無線デバイス（３０）によって復号可能であるように生成することとを行うように設定されている無線デバイス（２０、８００、１１００）。
【請求項３２】
請求項１から１５のいずれか一項に記載の方法の前記第１の無線デバイス（２０、８００、１１００）として動作するように設定されている、
請求項３１に記載の無線デバイス（２０、８００、１１００）。
【請求項３３】
少なくとも１つのプロセッサと、前記少なくとも１つのプロセッサによって実行可能な命令を含むメモリとを含み、請求項１から１５のいずれか一項に記載の方法の前記第１の無線デバイス（２０、８００、１１００）として動作する、
請求項３１または３２に記載の無線デバイス（２０、８００、１１００）。
【請求項３４】
無線通信ネットワークのための無線デバイス（１０、１０００、１１００）であって、
さらなる無線デバイス（２０、８００、１１００）へ第１の無線送信（１０１）を送ることと、
前記さらなる無線デバイス（２０、８００、１１００）からの第２の無線送信（１０３）を受信することであって、前記第２の無線送信（１０３）が、前記さらなる無線デバイス（２０、８００、１１００）による前記第１の無線送信（１０１）の受信が不成功であった旨の前記無線デバイス（１０、１０００、１１００）への表示を含む、第２の無線送信（１０３）を受信することとを行うように設定されており、
前記第２の無線送信（１０３）が、前記さらなる無線デバイス（２０、８００、１１００）による前記第１の無線送信（１０１）の受信が成功であったということを前記無線デバイス（１０、１０００、１１００）に示す肯定応答メッセージを含むものとして、または前記無線デバイス（１０、１０００、１１００）への送信可メッセージを含むものとして、前記無線デバイス（１０、１０００、１１００）以外の１つまたは複数の無線デバイス（３０）によって復号可能である、無線デバイス（１０、１０００、１１００）。
【請求項３５】
請求項１６から３０のいずれか一項に記載の方法の前記第１の無線デバイス（１０、１０００、１１００）として動作するように設定されている、
請求項３４に記載の無線デバイス（１０、１０００、１１００）。
【請求項３６】
少なくとも１つのプロセッサと、前記少なくとも１つのプロセッサによって実行可能な命令を含むメモリとを含み、請求項１６から３０のいずれか一項に記載の方法の前記第１の無線デバイス（１０、１０００、１１００）として動作する、
請求項３４または３５に記載の無線デバイス（１０、１０００、１１００）。
【請求項３７】
第１の無線デバイス（１０、１０００、１１００）と、第２の無線デバイス（２０、８００、１１００）と、１つまたは複数のその他の無線デバイス（３０）と
を含むシステムであって、
前記第１の無線デバイス（１０、１０００、１１００）が、前記第２の無線デバイス（２０、８００、１１００）へ第１の無線送信（１０１）を送るように設定されており、
前記第２の無線デバイス（２０、８００、１１００）が、
前記第１の無線送信（１０１）を受信することと、
前記第２の無線デバイス（２０、８００、１１００）による前記第１の無線送信（１０１）の受信が不成功であることに応答して、前記第１の無線デバイス（１０、１０００、１１００）へ第２の無線送信（１０３）を送ることであって、前記第２の無線送信（１０３）が、前記第２の無線デバイス（２０、８００、１１００）による前記第１の無線送信（１０１）の受信が不成功であった旨の前記第１の無線デバイス（１０、１０００、１１００）への表示を含む、第２の無線送信（１０３）を送ることと、
前記第２の無線送信（１０３）を、前記第２の無線デバイス（２０、８００、１１００）による前記第１の無線送信（１０１）の受信が成功であったということを前記第１の無線デバイス（１０、１０００、１１００）に示す肯定応答メッセージを含むものとして、または前記第１の無線デバイス（１０、１０００、１１００）への送信可メッセージを含むものとして、前記１つまたは複数のその他の無線デバイス（３０）によって復号可能であるように生成することとを行うように設定されている、システム。
【請求項３８】
無線デバイス（２０、８００、１１００）の少なくとも１つのプロセッサによって実行されることになるプログラムコードを含むコンピュータプログラムであって、前記プログラムコードの実行が、請求項１から１５のいずれか一項に記載の方法の前記第１の無線デバイス（２０、８００、１１００）として動作することを前記無線デバイス（２０、８００、１１００）に行わせる、コンピュータプログラム。
【請求項３９】
無線デバイス（２０、８００、１１００）の少なくとも１つのプロセッサによって実行されることになるプログラムコードを含むコンピュータプログラム製品であって、前記プログラムコードの実行が、請求項１から１５のいずれか一項に記載の方法の前記第１の無線デバイス（２０、８００、１１００）として動作することを前記無線デバイス（２０、８００、１１００）に行わせる、コンピュータプログラム製品。
【請求項４０】
無線デバイス（１０、１０００、１１００）の少なくとも１つのプロセッサによって実行されることになるプログラムコードを含むコンピュータプログラムであって、前記プログラムコードの実行が、請求項１６から３０のいずれか一項に記載の方法の前記第１の無線デバイス（１０、１０００、１１００）として動作することを前記無線デバイス（１０、１０００、１１００）に行わせる、コンピュータプログラム。
【請求項４１】
無線デバイス（１０、１０００、１１００）の少なくとも１つのプロセッサによって実行されることになるプログラムコードを含むコンピュータプログラム製品であって、前記プログラムコードの実行が、請求項１６から３０のいずれか一項に記載の方法の前記第１の無線デバイス（１０、１０００、１１００）として動作することを前記無線デバイス（１０、１０００、１１００）に行わせる、コンピュータプログラム製品。
【発明の詳細な説明】
【技術分野】
【０００１】
本発明は、無線送信を制御するための方法、ならびに対応する無線デバイス、システム、およびコンピュータプログラムに関する。
【背景技術】
【０００２】
無線通信システムにおいては、送信局からの無線送信が受信局によって成功裏に受信されたかどうかを送信局に知らせるためのフィードバックメカニズムを提供することが知られている。送信においては、受信局から送信局へ提供されたフィードバック情報は、たとえば変調符号化方式および／または送信電力の適合（これは、リンク適合および電力制御とも呼ばれる）のために使用されることが可能である。さらにフィードバック情報は、再送信をトリガするために使用されることも可能である。
【０００３】
たとえば、３ＧＰＰ（第３世代パートナーシッププロジェクト）によって明記されているＬＴＥ（Ｌｏｎｇ−Ｔｅｒｍ  Ｅｖｏｌｕｔｉｏｎ）技術に関しては、ＨＡＲＱ（ハイブリッド自動再送要求）動作が、３ＧＰＰ  ＴＳ  ３６．３２１  Ｖ１５．０．０（２０１８−０１）において規定されている。このケースにおいては、受信局は、受信された無線送信からデータが成功裏に復号された場合には、肯定応答（ＡＣＫ）を送信局へ送り、そうでない場合には、否定応答（ＮＡＣＫ）を送信局へ送る。
【０００４】
その他のフィードバックメカニズムにおいては、送信局は、無線送信を受信局へ送った後に肯定応答がないことを、無線送信が受信局によって成功裏に受信されなかった旨の表示として解釈する。これは、黙示的なＮＡＣＫとみなされることも可能である。たとえば、ＩＥＥＥ８０２．１１標準ファミリ、たとえば、ＩＥＥＥ８０２．１１ｎまたは最新のＩＥＥＥ８０２．１１ａｃおよび現在開発されているＩＥＥＥ８２０１．１１ａｘにおいて明記されているＷＬＡＮ（ワイヤレスローカルエリアネットワーク）技術のケースにおいては、受信局は、送信局からのデータフレームがエラーなしに受信された場合には、ＡＣＫフレームを送る。データフレームを送った後の特定の期間内に送信局がこのデータフレームに関するＡＣＫフレームを受信しない場合には、送信局は、データフレームの送信の失敗を想定する。そのような失敗に応答して、送信局は、データフレームを再送信すること、ならびに／またはリンク適合および／もしくは電力制御を実行することが可能である。詳細なリンク適合は、ＩＥＥＥ８０２．１１標準においては明記されていない。ＩＥＥＥ８０２．１１標準に関連して使用されるリンク適合メカニズムの典型的な実施態様は、たとえば、Ｐｒｏｃ．  ＩＥＥＥ  Ｉｎｔｅｒｎａｔｉｏｎａｌ  Ｃｏｎｆｅｒｅｎｃｅ  ｏｎ  Ｃｏｍｍｕｎｉｃａｔｉｏｎｓ（ＩＣＣ  ２０１３），  Ｂｕｄａｐｅｓｔ，  Ｈｕｎｇａｒｙ，  Ｊｕｎｅ  ９−１３，  ２０１３におけるＤ．  Ｘｉａ，  Ｊ．  Ｈａｒｔ，  Ｑ．  Ｆｕ，  “Ｅｖａｌｕａｔｉｏｎ  ｏｆ  ｔｈｅ  Ｍｉｎｓｔｒｅｌ  Ｒａｔｅ  Ａｄａｐｔａｔｉｏｎ  Ａｌｇｏｒｉｔｈｍ  ｉｎ  ＩＥＥＥ  ８０２．１１ｇ  ＷＬＡＮｓ”において記述されているＭｉｎｓｔｒｅｌアルゴリズムに基づく。現在のＩＥＥＥ８０２．１１標準は、無線送信の失敗を明示的に示すＮＡＣＫメッセージをサポートしていない。
【０００５】
現在のＩＥＥＥ８０２．１１標準におけるような黙示的なＮＡＣＫの使用は、非常に単純であってプロトコルオーバーヘッドの量を最小化するという利点を有している。その一方で、明示的なＮＡＣＫも提供するフィードバックメカニズムを使用することは、リンク適合メカニズムへの貴重な追加の入力と、再送信を制御する改善された効率とを提供することを可能にすることができる。しかしながら、既存の無線通信システムにおいて明示的なＮＡＣＫを導入することは、明示的なＮＡＣＫを取り扱うことが可能ではないレガシーデバイスに悪影響を与える場合がある。たとえば、ＩＥＥＥ８０２．１１標準の基礎をなしている競合ベースのアクセス制御方式に起因して、そのような明示的なＮＡＣＫは、レガシーデバイスを無線チャネルアクセスからブロックする可能性がある。
【０００６】
米国特許出願公開第２００５／０２７０９７８  （Ａ１）号においては、送信局から受信局への今後の送信のための変調方式の選択に関する追加情報を搬送するＡＣＫフレームによってＩＥＥＥ８０２．１１技術を拡張しつつ、その一方で同時に、レガシーデバイスに悪影響を与えるのを回避することが提案されている。これは、データフレームを成功裏に受信したことに応答して送信された標準に準拠しているＡＣＫフレームの予備ビットまたはパディングビットに追加情報を含めることによって達成される。したがってレガシーデバイスは、追加情報を伴うＡＣＫフレームを、従来のＡＣＫフレームと同じ方法で取り扱うことになり、無線チャネルアクセスを行おうと試みることを不必要に控えることにはならない。しかしながら、米国特許出願公開第２００５／０２７０９７８  （Ａ１）号のフィードバックメカニズムにおいては、追加情報は、受信局によってデータフレームが成功裏に受信されたことに応答して送られることのみが可能である。したがって、データフレームの受信が失敗している状況においては、リンク適合のパフォーマンスは、依然として満足できない場合がある。
【０００７】
したがって、レガシーデバイスに悪影響を与えることなく、失敗した無線送信に関するフィードバックを効率よく提供することを可能にする技術に対する必要性がある。
【発明の概要】
【０００８】
一実施形態によれば、無線通信ネットワークにおける無線送信を制御する方法が提供される。この方法によれば、第１の無線デバイスが、第２の無線デバイスからの第１の無線送信を受信する。第１の無線デバイスによる第１の無線送信の受信が不成功であることに応答して、第１の無線デバイスは、第２の無線デバイスへ第２の無線送信を送る。第２の無線送信は、第１の無線デバイスによる第１の無線送信の受信が不成功であった旨の第２の無線デバイスへの表示を含む。第１の無線デバイスは、第２の無線送信を、第１の無線デバイスによる第１の無線送信の受信が成功であったということを第２の無線デバイスに示す肯定応答メッセージを含むものとして、または第２の無線デバイスへの送信可メッセージを含むものとして、第２の無線デバイス以外の１つまたは複数の無線デバイスによって復号可能であるように生成する。
【０００９】
さらなる実施形態によれば、無線通信ネットワークにおける無線送信を制御する方法が提供される。この方法によれば、第１の無線デバイスが、第２の無線デバイスへ第１の無線送信を送る。さらに、第１の無線デバイスは、第２の無線デバイスからの第２の無線送信を受信する。第２の無線送信は、第２の無線デバイスによる第１の無線送信の受信が不成功であった旨の第１の無線デバイスへの表示を含む。第２の無線送信は、第２の無線デバイスによる第１の無線送信の受信が成功であったということを第１の無線デバイスに示す肯定応答メッセージを含むものとして、または第１の無線デバイスへの送信可メッセージを含むものとして、第１の無線デバイス以外の１つまたは複数の無線デバイスによって復号可能である。
【００１０】
さらなる実施形態によれば、無線通信ネットワークのための無線デバイスが提供される。この無線デバイスは、さらなる無線デバイスからの第１の無線送信を受信するように設定されている。さらに、この無線デバイスは、この無線デバイスによる第１の無線送信の受信が不成功であることに応答して、さらなる無線デバイスへ第２の無線送信を送るように設定されている。第２の無線送信は、この無線デバイスによる第１の無線送信の受信が不成功であった旨のさらなる無線デバイスへの表示を含む。さらに、この無線デバイスは、第２の無線送信を、この無線デバイスによる第１の無線送信の受信が成功であったということをさらなる無線デバイスに示す肯定応答メッセージを含むものとして、または第２の無線デバイスへの送信可メッセージを含むものとして、さらなる無線デバイス以外の１つまたは複数の無線デバイスによって復号可能であるように生成するように設定されている。
【００１１】
さらなる実施形態によれば、無線通信ネットワークのための無線デバイスが提供される。この無線デバイスは、さらなる無線デバイスへ第１の無線送信を送るように設定されている。さらに、この無線デバイスは、さらなる無線デバイスからの第２の無線送信を受信するように設定されている。第２の無線送信は、さらなる無線デバイスによる第１の無線送信の受信が不成功であった旨のこの無線デバイスへの表示を含む。第２の無線送信は、さらなる無線デバイスによる第１の無線送信の受信が成功であったということをこの無線デバイスに示す肯定応答メッセージを含むものとして、または第１の無線デバイスへの送信可メッセージを含むものとして、この無線デバイス以外の１つまたは複数の無線デバイスによって復号可能である。
【００１２】
さらなる実施形態によれば、無線通信ネットワークのための無線デバイスが提供される。この無線デバイスは、少なくとも１つのプロセッサと、前記少なくとも１つのプロセッサによって実行可能な命令を含むメモリとを含み、この無線デバイスは、さらなる無線デバイスからの第１の無線送信を受信することと、この無線デバイスによる第１の無線送信の受信が不成功であることに応答して、さらなる無線デバイスへ第２の無線送信を送ることとを行うように動作する。第２の無線送信は、この無線デバイスによる第１の無線送信の受信が不成功であった旨のさらなる無線デバイスへの表示を含む。さらに、この無線デバイスは、第２の無線送信を、この無線デバイスによる第１の無線送信の受信が成功であったということをさらなる無線デバイスに示す肯定応答メッセージを含むものとして、または第２の無線デバイスへの送信可メッセージを含むものとして、さらなる無線デバイス以外の１つまたは複数の無線デバイスによって復号可能であるように生成するように設定されている。
【００１３】
さらなる実施形態によれば、無線通信ネットワークのための無線デバイスが提供される。この無線デバイスは、少なくとも１つのプロセッサと、前記少なくとも１つのプロセッサによって実行可能な命令を含むメモリとを含み、この無線デバイスは、さらなる無線デバイスへ第１の無線送信を送ることと、さらなる無線デバイスからの第２の無線送信を受信することとを行うように動作する。第２の無線送信は、さらなる無線デバイスによる第１の無線送信の受信が不成功であった旨のこの無線デバイスへの表示を含む。第２の無線送信は、さらなる無線デバイスによる第１の無線送信の受信が成功であったということをこの無線デバイスに示す肯定応答メッセージを含むものとして、または第１の無線デバイスへの送信可メッセージを含むものとして、この無線デバイス以外の１つまたは複数の無線デバイスによって復号可能である。
【００１４】
さらなる実施形態によれば、システムが提供される。このシステムは、第１の無線デバイスと、第２の無線デバイスと、１つまたは複数のその他の無線デバイスとを含む。第１の無線デバイスは、第２の無線デバイスへ第１の無線送信を送るように設定されている。第２の無線デバイスは、第１の無線送信を受信することと、第２の無線デバイスによる第１の無線送信の受信が不成功であることに応答して、第１の無線デバイスへ第２の無線送信を送ることとを行うように設定されている。第２の無線送信は、第２の無線デバイスによる第１の無線送信の受信が不成功であった旨の第１の無線デバイスへの表示を含む。さらに、第２の無線デバイスは、第２の無線送信を、第２の無線デバイスによる第１の無線送信の受信が成功であったということを第１の無線デバイスに示す肯定応答メッセージを含むものとして、または第１の無線デバイスへの送信可メッセージを含むものとして、１つまたは複数のその他の無線デバイスによって復号可能であるように生成するように設定されている。
【００１５】
本発明のさらなる実施形態によれば、無線通信ネットワークのための無線デバイスの少なくとも１つのプロセッサによって実行されることになるプログラムコードを含むコンピュータプログラムまたはコンピュータプログラム製品が、たとえば、非一時的ストレージメディアの形態で提供される。プログラムコードの実行が、さらなる無線デバイスからの第１の無線送信を受信することをこの無線デバイスに行わせる。さらに、プログラムコードの実行は、この無線デバイスによる第１の無線送信の受信が不成功であることに応答して、さらなる無線デバイスへ第２の無線送信を送ることをこの無線デバイスに行わせる。第２の無線送信は、この無線デバイスによる第１の無線送信の受信が不成功であった旨のさらなる無線デバイスへの表示を含む。さらに、プログラムコードの実行は、第２の無線送信を、この無線デバイスによる第１の無線送信の受信が成功であったということをさらなる無線デバイスに示す肯定応答メッセージを含むものとして、または第２の無線デバイスへの送信可メッセージを含むものとして、さらなる無線デバイス以外の１つまたは複数の無線デバイスによって復号可能であるように生成することをこの無線デバイスに行わせる。
【００１６】
本発明のさらなる実施形態によれば、無線通信ネットワークのための無線デバイスの少なくとも１つのプロセッサによって実行されることになるプログラムコードを含むコンピュータプログラムまたはコンピュータプログラム製品が、たとえば、非一時的ストレージメディアの形態で提供される。プログラムコードの実行が、さらなる無線デバイスへ第１の無線送信を送ることをこの無線デバイスに行わせる。さらに、プログラムコードの実行は、さらなる無線デバイスからの第２の無線送信を受信することをこの無線デバイスに行わせる。第２の無線送信は、さらなる無線デバイスによる第１の無線送信の受信が不成功であった旨のこの無線デバイスへの表示を含む。第２の無線送信は、さらなる無線デバイスによる第１の無線送信の受信が成功であったということをこの無線デバイスに示す肯定応答メッセージを含むものとして、または第１の無線デバイスへの送信可メッセージを含むものとして、この無線デバイス以外の１つまたは複数の無線デバイスによって復号可能である。
【００１７】
そのような実施形態およびさらなる実施形態の詳細は、実施形態についての以降の詳細な説明から明らかになるであろう。
【図面の簡単な説明】
【００１８】
【図１】本発明の一実施形態による無線通信ネットワークにおけるプロセスの一例を示す図である。
【図２】ＮＡＣＫメッセージを伝達するための本発明の一実施形態に従って使用されるレガシーメッセージのメッセージフォーマットの一例を示す図である。
【図３】本発明の一実施形態に従ってレガシーメッセージをＮＡＣＫメッセージとオーバレイするためのエッジキャリアの利用を概略的に示す図である。
【図４】本発明の一実施形態に従ってレガシーメッセージをＮＡＣＫメッセージとオーバレイするためのレガシー帯域幅のサブセットの利用を概略的に示す図である。
【図５Ａ】レガシーメッセージを伝達するために使用される１次元のコンステレーションダイアグラムを規定するコンステレーションポイントのサブセットを有する２次元のコンステレーションダイアグラムを利用することによって本発明の一実施形態に従ってレガシーメッセージをＮＡＣＫメッセージとオーバレイすることを概略的に示す図である。
【図５Ｂ】レガシーメッセージを伝達するために使用される１次元のコンステレーションダイアグラムを規定するコンステレーションポイントのサブセットを有する２次元のコンステレーションダイアグラムを利用することによって本発明の一実施形態に従ってレガシーメッセージをＮＡＣＫメッセージとオーバレイすることを概略的に示す図である。
【図６Ａ】階層変調方式を利用することによって本発明の一実施形態に従ってレガシーメッセージをＮＡＣＫメッセージとオーバレイすることを概略的に示す図である。
【図６Ｂ】階層変調方式を利用することによって本発明の一実施形態に従ってレガシーメッセージをＮＡＣＫメッセージとオーバレイすることを概略的に示す図である。
【図７】本発明の一実施形態による、無線送信を制御する受信機ベースの方法を概略的に示すフローチャートである。
【図８】本発明の一実施形態による受信無線デバイスの機能性を示すためのブロック図である。
【図９】本発明の一実施形態による、無線送信を制御する送信機ベースの方法を概略的に示すフローチャートである。
【図１０】本発明の一実施形態による送信無線デバイスの機能性を示すためのブロック図である。
【図１１】本発明の一実施形態による無線デバイスの構造を概略的に示す図である。
【発明を実施するための形態】
【００１９】
以降では、添付の図面を参照しながら、本発明の例示的な実施形態による概念が、より詳細に説明されることになる。示されている実施形態は、無線通信ネットワークにおける無線送信を制御することに、詳細には、受信局から送信局へフィードバック情報を提供することに関連している。示されている例においては、無線通信ネットワークは、たとえば、最近のＩＥＥＥ８０２．１１ａｃ−２０１３または現在開発されているＩＥＥＥ８０２．１１ａｘ標準などのＩＥＥＥ８０２．１１標準ファミリによるＷＬＡＮ技術に基づくと想定される。しかしながら、その他の無線技術、たとえば、ＬＴＥ技術のＬＡＡ（Ｌｉｃｅｎｓｅｄ  Ａｓｓｉｓｔｅｄ  Ａｃｃｅｓｓ）またはＭｕＬＴＥｆｉｒｅ拡張のようなセルラ無線技術の競合ベースのモードも使用されることが可能であるということに留意されたい。したがって、示されている例においては、無線通信ネットワークは、無線チャネルへの競合ベースのアクセスを使用し、それは、無線デバイスが無線チャネル上での送信へ進む前に、その無線チャネルが占有されていないということを無線デバイスが確認することを含む。その一方で、無線チャネルが占有されているということを検知することは、無線デバイスが引き下がって、バックオフ期間の満了前に無線チャネルへのアクセスを行おうと試みるのを控えるようにさせることが可能である。
【００２０】
示されている例においては、無線通信ネットワークにおけるいくつかの無線デバイスは、意図されている受信無線デバイスによる無線送信の受信が不成功であった場合には、たとえば否定応答メッセージ（ＮＡＣＫメッセージ）の形態で、明示的な失敗表示を送信無線デバイスに提供することをサポートすると想定される。これらの無線デバイスは、以降では新世代（ＮＧ）無線デバイスとも呼ばれる。ＮＧ無線デバイスは、失敗表示の送信または受信をサポートしないその他の無線デバイス（以降ではレガシーデバイスと呼ばれる）と共存する。
【００２１】
これらのレガシーデバイスの動作に悪影響を与えることを回避するために、明示的な失敗表示は、レガシーデバイスによってもサポートされているレガシーメッセージに含まれる。すなわち、ＮＧ無線デバイスによってのみサポートされている明示的な失敗表示は、レガシー無線デバイスによってもサポートされているレガシーメッセージにおいて伝達される。以降でさらに示されている例は、レガシーメッセージが、送信無線デバイスからの無線送信の成功した受信を示す、送信無線デバイスへの肯定応答メッセージ（ＡＣＫ）、とりわけＡＣＫフレームまたはブロックＡＣＫフレームであると想定している。しかしながら、その他のタイプのレガシーメッセージ、たとえば、送信無線デバイスに宛てられているＣＴＳ（ｃｌｅａｒ  ｔｏ  ｓｅｎｄ：送信可）フレーム、送信無線デバイスに宛てられているデータフレーム、たとえば、バーストもしくはフラグメントの第２のもしくは後続のＭＰＤＵ（Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ：媒体アクセス制御プロトコルデータユニット）、ＰＣＦ（Ｐｏｉｎｔ  Ｃｏｏｒｄｉｎａｔｉｏｎ  Ｆｕｎｃｔｉｏｎ：ポイント調整機能）からのポールへの応答、またはＰＣＦの無競合期間中に送られるフレームも使用されることが可能であるということに留意されたい。それぞれのケースにおいて、レガシーデバイスは、レガシーメッセージを復号することが可能であり、レガシーメッセージがそのレガシーデバイスに宛てられているものではないと認識するであろう。したがってレガシーデバイスは、レガシーメッセージを破棄するか、またはさもなければ無視することになり、レガシーデバイスの動作は、レガシーメッセージによって悪影響を与えられることはない。詳細には、レガシーメッセージの上述のタイプは、レガシーメッセージを聞いているその他の無線デバイスが、無線チャネルへのアクセスを行おうと試みることから引き下がるようにさせないので、失敗表示を伝達するために使用されるレガシーメッセージは、レガシーデバイスが無線チャネルから引き下がるようにさせないであろう。
【００２２】
その一方で、レガシーメッセージを受信する送信無線デバイスは、レガシーメッセージが失敗表示を含んでいるということを検知することが可能であり、レガシーメッセージから失敗表示を、および任意選択でさらなる情報も復号する。したがって、送信無線デバイスによるレガシーメッセージの取り扱いは、レガシーメッセージの従来の取り扱いから逸脱している。たとえば、レガシーメッセージが失敗表示を伝達している場合には、送信無線デバイスは、失敗表示を検知し、むしろレガシーメッセージを、送信無線デバイスから受信無線デバイスへの無線送信の受信が不成功であったことを示すものとして解釈することになる。
【００２３】
図１は、上述の概念に基づいているプロセスの一例を示している。これらのプロセスは、２つのＮＧ無線デバイス、詳細には送信局（ＴＸ  ＳＴＡ）１０および受信局（ＲＸ  ＳＴＡ）２０と、レガシー無線デバイス（レガシーＳＴＡ）３０とを含む。ここでは、無線デバイスは、さまざまなタイプの無線デバイス、たとえば、移動式のまたは固定された無線クライアントまたはアクセスポイントに対応することが可能であるということに留意されたい。
【００２４】
図１の例においては、送信局１０は、データフレーム１０１を伴う無線送信を受信局２０へ送る。受信局２０は、その無線送信を受信しているが、データフレーム１０１を復号することに成功していない。したがって受信局２０は、ブロック１０２によって示されているように、受信エラーを検知している。
【００２５】
受信エラーを検知したことに応答して、受信局２０は、ＮＡＣＫの形態の失敗表示を送信局１０へ送る。ＮＡＣＫを伝達するために、レガシーフレーム１０３が使用されている。示されているように、レガシーフレーム１０３は、送信局１０によって受信されているが、レガシーステーション３０によって聞かれることも可能である。
【００２６】
ＮＧ無線デバイスである送信局１０は、レガシーフレーム１０３が、ＮＡＣＫを伝達するように修正されているということを検知し、ブロック１０４によって示されているように、レガシーフレーム１０３をＮＡＣＫとして復号している。その一方でレガシーステーション３０は、レガシーフレーム１０３を復号することと、ブロック１０５によって示されているように、そのレガシーフレームがレガシーステーション３０に宛てられているものではないということを認識することとが可能である。したがってレガシーステーション３０は、レガシーフレーム３０を破棄することになる。
【００２７】
送信局１０は次いで、ＮＡＣＫと、任意選択で、レガシーフレーム１０３においてＮＡＣＫと一緒に伝達された追加情報とを使用して、ブロック１０６によって示されているようにリンク適合を実行すること、および／またはデータフレーム１０１の再送信１０７をトリガすることが可能である。たとえば、レガシーフレーム１０３は、ＮＡＣＫに加えて、提案されるＭＣＳ、および／または、たとえば、ＣＳＩ（ｃｈａｎｎｅｌ  ｓｔａｔｅ  ｉｎｆｏｒｍａｔｉｏｎ：チャネル状態情報）もしくはＣＱＩ（ｃｈａｎｎｅｌ  ｑｕａｌｉｔｙ  ｉｎｄｉｃａｔｏｒ：チャネル品質インジケータ）の点からの、送信局１０と受信局２０との間における無線チャネル品質を示す追加情報を伝達することも可能である。この追加情報は次いで、たとえば、データフレーム１０１を伴う最初の無線送信のために使用されているよりもさらに堅牢なＭＣＳを選択することによって、ブロック１０６においてリンク適合を実行するために使用されることが可能である。あるいは、追加情報はＮＡＣＫとして解釈されることが可能であり、それによって、ＮＡＣＫが別途示される必要はなくなる。
【００２８】
以降では、レガシーフレーム１０３を追加情報とオーバレイすることによって、レガシーフレーム１０３がレガシーステーション３０およびその他のレガシー無線デバイスによって復号可能なままであることを依然として確実にしながら、レガシーフレーム１０３が、ＮＡＣＫを送信局１０へ伝達するように修正されることがどのようにして可能であるかがさらに詳細に説明されることになる。詳細には、ＮＡＣＫと、任意選択で、提案されるＭＣＳまたはチャネル品質情報のようなさらなる情報とを示すために、レガシーＡＣＫフレームが追加情報とオーバレイされることがどのようにして可能であるかの例が説明されることになる。しかしながら、ＣＴＳフレーム、データフレーム、ＰＣＦからのポールへの応答、またはＰＣＦの無競合期間中に送られるフレームなど、その他のレガシーフレームに関して、同様のオーバレイ技術が適用されることも可能であるということに留意されたい。
【００２９】
以降の説明においては、２０ＭＨｚの名目の無線チャネルを伴うＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ：直交周波数分割多重）を使用したＷＬＡＮ技術の利用が想定される。さらに無線送信は、６４ポイントのＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）を使用して生成され、すなわち、サブキャリアの数は６４であり、サブキャリアスペーシングは２０／６４ＭＨｚ＝３１２．５ｋＨｚであるということ、および１つのＯＦＤＭＡシンボルの持続時間は、サイクリックプレフィックス（ＣＰ）を含まずに６４／２０μｓ＝３．２μｓであるということが想定される。ＩＥＥＥ８０２．１１ａｃ標準に従って、８つのサブキャリアが、ガード帯域として使用され、４つのサブキャリアが、パイロット信号の送信のために使用される。したがって、ＯＦＤＭシンボルあたり５２個のサブキャリアが、データを伝達するために利用可能である。
【００３０】
：
図２は、ＩＥＥＥ８０２．１１ａｃ標準の従来のＡＣＫフレームの構造を示している。見て取れるように、従来のＡＣＫフレームは、送信するための１１２ビットに対応する合計で１４バイトを伴う４つのフィールドから形成されている。フィールドのうちの１つは、受信機アドレスを含み、受信機アドレスは、従来のＡＣＫフレームが宛てられている無線デバイスを識別するために使用されることが可能である。フレーム制御フィールドは、フレームのタイプを、すなわち、そのフレームがＡＣＫフレームであるということを示す。持続時間フィールドは、フレームのＯＦＤＭシンボルの数を示す。ＦＣＳ（Ｆｒａｍｅ  Ｃｈｅｃｋ  Ｓｅｑｕｅｎｃｅ：フレームチェックシーケンス）フィールドは、エラー検知コード、たとえば、フレームのインテグリティを確認するためのＣＲＣ（ｃｙｃｌｉｃ  ｒｅｄｕｎｄａｎｃｙ  ｃｈｅｃｋ：巡回冗長チェック）コードを含む。
【００３１】
従来のＡＣＫフレームを送信するために使用されるＭＣＳは、確認応答するためのデータフレーム用に使用されるＭＣＳに依存する。結果として、ＡＣＫフレームの送信のために使用されるＯＦＤＭシンボルの数もまた、確認応答するためのデータフレーム用に使用されるＭＣＳに応じてさまざまであることが可能である。たとえば、ＢＰＳＫ（ｂｉｎａｒｙ  ｐｈａｓｅ  ｓｈｉｆｔ  ｋｅｙｉｎｇ：バイナリー位相シフトキーイング）および０．５というコードレートを使用して従来のＡＣＫフレームが送られる場合には、従来のＡＣＫフレームの送信のために５つのＯＦＤＭシンボルが必要とされる。ＱＰＳＫ（ｑｕａｄｒａｔｕｒｅ  ｐｈａｓｅ  ｓｈｉｆｔ  ｋｅｙｉｎｇ：直交位相シフトキーイング）および０．５というコードレートを使用して従来のＡＣＫフレームが送られる場合には、従来のＡＣＫフレームの送信のために３つのＯＦＤＭシンボルが必要とされる。ＱＰＳＫおよび０．７５というコードレート、または１６ＱＡＭ（１６  ｃｏｎｓｔｅｌｌａｔｉｏｎ  ｐｏｉｎｔ  ｑｕａｄｒａｔｕｒｅ  ａｍｐｌｉｔｕｄｅ  ｍｏｄｕｌａｔｉｏｎ：１６コンステレーションポイント直交振幅変調）および０．５というコードレートを使用して従来のＡＣＫフレームが送られる場合には、従来のＡＣＫフレームの送信のために２つのＯＦＤＭシンボルのみが必要とされる。
【００３２】
上述のＭＣＳ方式のうちのそれぞれにおいては、従来のＡＣＫフレームの送信のためにＯＦＤＭシンボルのキャパシティ全体が必要とされるとは限らない。例として、ＢＰＳＫおよび０．５というコードレートを使用して従来のＡＣＫフレームが送られる場合には、従来のＡＣＫフレームの送信のために必要とされる５つのＯＦＤＭシンボルは、２６０個のサブキャリア（ＯＦＤＭシンボルあたり５２個のサブキャリア）という合計のペイロードキャパシティを提供し、そのうちの２２４個が、従来のＡＣＫフレームをエンコードするために必要とされる。
【００３３】
一変形形態によれば、従来のＡＣＫフレームを伝達するために必要とされないＯＦＤＭシンボルのキャパシティが、ＮＡＣＫの、ならびに任意選択で、提案されるＭＣＳおよび／またはチャネル品質情報などのさらなる情報の表示を伝達するために使用される。たとえば、ＢＰＳＫおよび０．５というコードレートを使用することの上述の例においては、従来のＡＣＫフレームの送信のために必要とされない３６個のサブキャリアという余分なペイロードキャパシティがあり、それは、ＮＡＣＫおよび任意選択のさらなる情報の表示を送信するために使用されることが可能である。この例においては、余分なキャパシティを使用して、１８個までの追加のビットが送信されることが可能である。従来のＡＣＫフレームのケースにおいては、送信されるデータを整数個のＯＦＤＭシンボルへ拡張するためにパディングが適用されることになる。従来のＡＣＫフレームをＮＡＣＫおよび任意選択のさらなる情報の表示とオーバレイする場合には、パディングの少なくとも一部が、ＮＡＣＫおよび任意選択のさらなる情報の表示を含むさらなるペイロードデータによって置き換えられることが可能である。
【００３４】
従来のＡＣＫフレームの送信、ならびにＮＡＣＫおよび任意選択のさらなる情報の表示を送信することのために、ＯＦＤＭシンボルの余分なキャパシティよりも多くが必要とされる場合には、持続時間フィールドを修正することによって、従来のＡＣＫフレームが拡張されることが可能である。
【００３５】
図３は、ＮＡＣＫの、ならびに任意選択で、提案されるＭＣＳおよび／またはチャネル品質情報などのさらなる情報の表示を伝達するためにＡＣＫフレームのエッジサブキャリアが使用されるさらなる変形形態を概略的に示している。詳細には、図３は、ＡＣＫフレームの送信のためにレガシー無線デバイスによって使用されるレガシーサブキャリア３１０と、レガシーサブキャリア３１０に隣接しているエッジサブキャリア３２０とを示している。レガシー無線デバイスは、エッジサブキャリア３２０上では送信を行わず、エッジサブキャリアからのデータを復号しようと試みることもない。したがってエッジサブキャリアは、追加情報をＡＣＫフレーム上にオーバレイするために使用されることが可能である。例として、ＮＧ無線デバイスは、エッジサブキャリア３２０上での信号の存在を検知することが可能であり、エッジサブキャリア３２０上に信号が存在していない場合には、ＡＣＫフレームを、確認応答される無線送信の成功した受信を示す従来のＡＣＫフレームとして解釈する。しかしながらエッジサブキャリア３２０上に信号が存在している場合には、ＮＧ無線デバイスは、ＡＣＫフレームを、ＮＡＣＫを示しているものとして解釈することが可能である。またさらに、複数のＯＦＤＭシンボルがＡＣＫフレームの送信のために使用されるので、提案されるＭＣＳまたはチャネル品質情報のような追加情報が、エッジサブキャリア３２０上でエンコードされることが可能である。例として、ＢＰＳＫ変調および０．５というコードレートを用いてＡＣＫフレームが送信される場合には、ＡＣＫフレームの送信のために５つのＯＦＤＭシンボルが必要とされ、追加データの５つまでのビットをエンコードするために、またはＮＡＣＫ表示もしくは追加情報の堅牢性を改善する目的で冗長性を使用するために、エッジサブキャリア３２０上での信号の有無が使用されることが可能である。
【００３６】
図４は、さらなる変形形態を概略的に示しており、この変形形態においては、ＡＣＫフレームの送信のために使用されるレガシー帯域幅の特定の部分が、ＮＡＣＫの、ならびに任意選択で、提案されるＭＣＳおよび／またはチャネル品質情報などのさらなる情報の表示をオーバレイするために割り当てられる。詳細には、図４は、レガシー帯域幅４１０、たとえば、６４個のサブキャリアを伴う上述の２０ＭＨｚ、およびオーバレイ帯域幅４２０を示しており、オーバレイ帯域幅４２０は、レガシー帯域幅４１０の下位部分のみに対応しており、ＮＡＣＫの、および任意選択でさらなる情報の表示をオーバレイするために使用される。レガシー無線デバイスの観点からは、オーバレイ帯域幅４２０におけるデータのオーバレイは、邪魔なものとして認識される。それにもかかわらず、ＡＣＫフレームのエンコードは、レガシーデバイスによる復号を可能にするのに十分なほど堅牢である場合がある。ＮＧ無線デバイスは次いで、オーバレイ帯域幅を特定の復号プロセスにかけることが可能であり、その復号プロセスは、ＮＡＣＫの、および任意選択で、送信されたさらなる情報の表示を復号することを可能にする。したがって、２つのＯＦＤＭシンボルが、それぞれの意図されている受信機が自分のそれぞれの信号を依然として復号することが可能であるような方法で、同じ周波数リソースおよび時間リソース上で送信される。追加情報をオーバレイするために帯域幅のそのような下位部分を使用することの実行可能性は、“Ｏｎ  ｔｈｅ  Ｆｅａｓｉｂｉｌｉｔｙ  ｔｏ  Ｏｖｅｒｌａｙ  ａ  ＮＢ−ＩｏＴ  Ｓｉｇｎａｌ  ｉｎ  ＩＥＥＥ８０２．１１”，  ｂｙ  Ｎ．  Ｂｕｔｔ  ｅｔ  ａｌ．，  ＩＥＥＥ  Ｉｎｔｅｒｎａｔｉｏｎａｌ  Ｓｙｍｐｏｓｉｕｍ  ｏｎ  Ｐｅｒｓｏｎａｌ，  Ｉｎｄｏｏｒ  ａｎｄ  Ｍｏｂｉｌｅ  Ｒａｄｉｏ  Ｃｏｍｍｕｎｉｃａｔｉｏｎｓ（ＰＩＭＲＣ），  Ｍｏｎｔｒｅａｌ，  Ｃａｎａｄａ，  Ｏｃｔ．２０１７において示された。
【００３７】
図４の例においては、オーバレイ帯域幅４２０は、レガシー帯域幅４１０の約１０％の小さな連続した部分を形成している。しかしながら、状況および利用される送信パラメータに応じて、オーバレイ帯域幅４２０用にレガシー帯域幅４１０のさらに小さなまたはさらに大きな部分も使用されることが可能であるということに留意されたい。一般的なルールとして、より堅牢なＭＣＳは、オーバレイ帯域幅４２０用にレガシー帯域幅４１０のさらに大きな部分を使用することを可能にする。さらにオーバレイ帯域幅４２０は、不連続な周波数リソースにわたって広がることも可能である。またさらに、従来のＡＣＫフレームの送信のために、およびオーバレイ帯域幅４２０における情報の送信のために、別々の電力レベルが使用されることが可能である。
【００３８】
図５Ａおよび図５Ｂは、さらなる変形形態を概略的に示しており、この変形形態においては、ＮＡＣＫの、ならびに任意選択で、提案されるＭＣＳおよび／またはチャネル品質情報などのさらなる情報のオーバレイされた表示を伴うＡＣＫフレームが、ＱＰＳＫまたはＱＡＭなど、２次元のコンステレーションダイアグラムを伴う変調方式を使用して送信され、２次元のコンステレーションダイアグラムのコンステレーションポイントのサブセットが、従来のＡＣＫフレームの送信のために使用されるような１次元のコンステレーションダイアグラムを形成している。このケースにおいては、サブセットの部分ではないコンステレーションポイントが、ＮＡＣＫおよび任意選択のさらなる情報の表示をエンコードするために使用されることが可能である。
【００３９】
図５Ａの例においては、π／４−ＱＰＳＫに基づく２次元のコンステレーションダイアグラムが使用されており、それは、Ｉ−Ｑ（ｉｎ  ｐｈａｓｅ−ｑｕａｄｒａｔｕｒｅ）空間において配置されているコンステレーションポイント５１０、５２０を有する。見て取れるように、コンステレーションポイント５１０は、Ｉ軸上に配置されており、ＢＰＳＫのケースにおけるような１次元のコンステレーションダイアグラムを形成している。その他のコンステレーションポイント５２０は、Ｉ軸から離れて配置されており、ＢＰＳＫ復調を実行するレガシー無線デバイスによって考慮されないであろう。したがってコンステレーションポイント５２０は、ＮＡＣＫおよび任意選択のさらなる情報の表示をエンコードするためにＮＧ無線デバイスによって使用されることが可能である。
【００４０】
図５Ｂの例においては、ＱＰＳＫまたは４−ＱＡＭに基づく２次元のコンステレーションダイアグラムが使用されており、それは、Ｉ−Ｑ空間において配置されているコンステレーションポイント５３０、５４０を有する。見て取れるように、コンステレーションポイント５３０は、Ｉ軸およびＱ軸に対して４５°回転されているＤ軸上に配置されており、ＢＰＳＫのケースにおけるような１次元のコンステレーションダイアグラムを形成している。その他のコンステレーションポイント５４０は、Ｄ軸から離れて配置されており、Ｄ軸に沿ったＢＰＳＫ復調を実行するレガシー無線デバイスによって考慮されないであろう。したがってコンステレーションポイント５４０は、ＮＡＣＫおよび任意選択のさらなる情報の表示をエンコードするためにＮＧ無線デバイスによって使用されることが可能である。
【００４１】
図５Ａおよび５Ｂの例においては、ＢＰＳＫ復調において考慮されない、その他のコンステレーションポイント５２０、５４０上での信号電力の存在が、レガシーデバイスにとって追加の邪魔なものとして現れる場合がある。この影響を補償するために、送信電力が、一方では１次元のサブセットのコンステレーションポイント５１０、５３０、および他方ではその他のコンステレーションポイント５２０、５４０にわたって不均一に分散されることが可能である。詳細には、レガシー無線デバイスによって認識される邪魔なものを最小化するために、より少ない送信電力がその他のコンステレーションポイント５２０、５４０に割り当てられることが可能である。より低い送信電力が、その他のコンステレーションポイント５２０、５４０上でエンコードされる情報の不十分な信頼性をもたらすことを回避するために、この情報は、ＡＣＫフレームの複数のＯＦＤＭシンボルにわたって繰り返しのまたはその他の冗長な様式で送信されることが可能である。
【００４２】
図６Ａおよび図６Ｂは、さらなる変形形態を概略的に示しており、この変形形態においては、ＮＡＣＫの、ならびに任意選択で、提案されるＭＣＳおよび／またはチャネル品質情報などのさらなる情報のオーバレイされた表示を伴うＡＣＫフレームが、階層変調方式を使用して送信される。詳細には、従来のＡＣＫフレームは、階層変調方式のベースレイヤによってエンコードされ、階層変調方式の１つまたは複数のさらに高いレイヤは、ＮＡＣＫの、ならびに任意選択で、提案されるＭＣＳおよび／またはチャネル品質情報などのさらなる情報の表示をエンコードするために使用される。
【００４３】
図６Ａの例においては、階層変調方式のベースレイヤは、Ｉ軸に沿ったＢＰＳＫ変調に対応しており、コンステレーションポイント６１０を与えている。Ｑ軸に沿った変調によって、さらに高いレイヤが提供されて、コンステレーションポイント６１０を、コンステレーションポイント６２０を伴うサブコンステレーションへと分割する結果となる。Ｉ軸に沿ったＢＰＳＫ復調を実行するレガシー無線デバイスは、同じサブコンステレーション内のコンステレーションポイント６２０どうしの間における差異を解決しないことになり、単にベースレイヤのコンステレーションポイント６１０どうしの間における差異を解決することになるにすぎない。したがって、サブコンステレーションのコンステレーションポイント６２０は、ＮＡＣＫおよび任意選択のさらなる情報の表示をエンコードするためにＮＧ無線デバイスによって使用されることが可能である。
【００４４】
図６Ｂの例においては、階層変調方式のベースレイヤは、４−ＱＡＭ変調に対応しており、コンステレーションポイント６３０を与えている。Ｑ軸に沿った変調によって、さらに高いレイヤが提供されて、コンステレーションポイント６３０を、コンステレーションポイント６４０を伴うサブコンステレーションへと分割する結果となる。４−ＱＡＭ復調を実行するレガシー無線デバイスは、同じサブコンステレーション内のコンステレーションポイント６４０どうしの間における差異を解決しないことになり、単にベースレイヤのコンステレーションポイント６３０どうしの間における差異を解決することになるにすぎない。したがって、サブコンステレーションのコンステレーションポイント６４０は、ＮＡＣＫおよび任意選択のさらなる情報の表示をエンコードするためにＮＧ無線デバイスによって使用されることが可能である。
【００４５】
図６Ａおよび６Ｂの例においては、階層変調方式のさらに高いレイヤ上での信号電力の存在が、レガシーデバイスにとって追加の邪魔なものとして現れる場合がある。この影響を補償するために、送信電力が、ベースレイヤおよびさらに高いレイヤにわたって不均一に分散されることが可能である。詳細には、さらに高いレイヤに割り当てられる送信電力を、ベースレイヤに割り当てられる送信電力に比べて低くすることによって、サブコンステレーションのコンステレーションポイント６２０、６４０の間における距離が、ベースレイヤのコンステレーションポイント６１０、６３０の間における距離と比較して低減されることが可能である。例として、合計送信電力の１０％が、さらに高いレイヤに割り当てられ、９０％がベースレイヤに割り当てられる場合には、結果は、ベースレイヤに関する約０．５ｄＢの電力低減および約０．５ｄＢの追加のノイズ、すなわち、信号対雑音比の点で約１ｄＢの損失（これは、ほとんどのケースにおいて許容可能である）をレガシー無線デバイスが認識するということであろう。さらに高いレイヤに関する信号対雑音比は、ベースレイヤに関する信号対雑音比よりも約１０倍低い。これは、同じデータを１０個のサブキャリア上で重複して変調して１０ｄＢの処理利得を達成することによって補償されることが可能である。
【００４６】
図６Ａおよび図６Ｂの例は、２つのレイヤの階層変調方式を考慮しているが、より多くの数のレイヤの利用も可能であり得るということに留意されたい。たとえば、３つのレイヤの階層変調方式を使用する場合には、その階層変調方式のベースレイヤは、従来のＡＣＫフレームをエンコードするために使用されることが可能であり、第１のさらに高いレイヤは、ＮＡＣＫの表示をエンコードするために使用されることが可能であり、第２のさらに高いレイヤは、提案されるＭＣＳおよび／またはチャネル品質情報のようなさらなる情報をエンコードするために使用されることが可能である。
【００４７】
図７は、示されている概念を実施するために利用されることが可能である、無線送信を制御する方法を示すためのフローチャートを示している。図７の方法は、第２の無線デバイスからの無線送信を受信する第１の無線デバイスにおいて、示されている概念を実施するために使用されることが可能である。たとえば、第１の無線デバイスは、上述の受信局２０に対応することが可能であり、第２の無線デバイスは、上述の送信局１０に対応することが可能である。無線送信は、ＷＬＡＮ技術に、またはセルラ無線アクセス技術の競合ベースのモードに基づくことが可能である。
【００４８】
第１の無線デバイスのプロセッサベースの実施態様が使用される場合には、図７の方法のステップのうちの少なくともいくつかは、第１の無線デバイスの１つまたは複数のプロセッサによって実行および／または制御されることが可能である。そのような無線デバイスは、図７の方法の後述の機能性またはステップのうちの少なくともいくつかを実施するためのプログラムコードを格納しているメモリを含むことも可能である。
【００４９】
ステップ７１０において、第１の無線デバイスは、第２の無線デバイスからの第１の無線送信を受信する。第１の無線送信は、たとえば、上述のデータフレーム１０１に関して説明されているものなど、ＷＬＡＮ技術のデータフレームであることが可能である。
【００５０】
ステップ７２０において、第１の無線デバイスは、受信エラーを検知すること、すなわち、第１の無線デバイスによる第１の無線送信の受信が不成功であったということを検知することが可能である。これは、たとえば、第１の無線送信に含まれているエラーチェックコードに基づいてエラーチェックを実行することを含むことが可能である。
【００５１】
ステップ７３０において、第１の無線デバイスは、オーバレイされた失敗表示を伴う第２の無線送信を送る。すなわち、第１の無線デバイスによる第１の無線送信の受信が不成功であることに応答して、第１の無線デバイスは、第２の無線デバイスへ第２の無線送信を送り、第２の無線送信は、第１の無線デバイスによる第１の無線送信の受信が不成功であった旨の第２の無線デバイスへの表示を含む。第１の無線デバイスは、第２の無線送信を、第１の無線デバイスによる第１の無線送信の受信が成功であったということを第２の無線デバイスに示す肯定応答（ＡＣＫ）メッセージを含むものとして、または第２の無線デバイスへのＣＴＳメッセージ、すなわち、第１の無線デバイスからのＲＴＳ（ｒｅａｄｙ  ｔｏ  ｓｅｎｄ）メッセージに応答して送られて、第１の無線デバイスが第２の無線デバイスからの無線送信を受信する準備ができているということを示すメッセージを含むものとして、第２の無線デバイス以外の１つまたは複数の無線デバイスによって復号可能であるように生成する。ＡＣＫメッセージは、単一の無線送信に確認応答するＡＣＫフレーム、または複数の無線送信に確認応答したいという要求に応じて送信されるブロックＡＣＫフレームであることが可能である。しかしながら、代替実施態様においては、第２の無線送信は、送信無線デバイスに宛てられているデータフレーム、たとえば、バーストもしくはフラグメントの第２のもしくは後続のＭＰＤＵ、ＰＣＦからのポールへの応答、またはＰＣＦの無競合期間中に送られるフレームなど、その他の無線デバイスによってサポートされるその他の何らかの種類のレガシーメッセージとして、１つまたは複数のその他の無線デバイスによって復号可能であるように生成されることも可能であるということに留意されたい。
【００５２】
第２の無線送信は、ＡＣＫメッセージ、ＣＴＳメッセージ、またはその他のレガシーメッセージに割り当てられている周波数リソースとは異なる周波数リソース上で第２の無線デバイスへの表示を伝達することが可能である。たとえば図３によって示されている変形形態のエッジサブキャリア３２０に関して説明されているように、第２の無線デバイスへの表示を伝達する周波数リソースは、ＡＣＫメッセージ、ＣＴＳメッセージ、またはその他のレガシーメッセージに割り当てられている周波数リソースに隣接している場合がある。
【００５３】
いくつかのシナリオにおいては、第２の無線送信は、たとえば図４によって示されている変形形態のオーバレイ帯域幅４２０に関して説明されているように、ＡＣＫメッセージ、ＣＴＳメッセージ、またはその他のレガシーメッセージに割り当てられている周波数リソースのサブセット上で第２の無線デバイスへの表示を伝達することが可能である。
【００５４】
いくつかのシナリオにおいては、周波数リソースのサブセットは、ＡＣＫメッセージ、ＣＴＳメッセージ、またはその他のレガシーメッセージの送信のために必要とされない周波数リソース、たとえば、従来ならパディングが適用されるであろう周波数リソースを含むことが可能である。
【００５５】
いくつかのシナリオにおいては、第２の無線送信は、１次元のコンステレーションダイアグラムを形成するコンステレーションポイントのサブセットを有する２次元のコンステレーションダイアグラムを規定する変調方式に基づくこと、たとえば、ＢＰＳＫ変調に対応していることが可能である。このケースにおいては、サブセットのコンステレーションポイントは、ＡＣＫメッセージ、ＣＴＳメッセージ、またはその他のレガシーメッセージを伝達することが可能であり、その一方で、２次元のコンステレーションダイアグラムの１つまたは複数のその他のコンステレーションポイントは、第２の無線デバイスへの表示を伝達する。π／４−ＱＰＳＫおよびＢＰＳＫに基づく対応する例が、図５Ａにおいて示されており、ＱＰＳＫまたは４−ＱＡＭおよびＢＰＳＫに基づく対応する例が、図５Ｂにおいて示されている。したがって、１次元のコンステレーションダイアグラムは、ＢＰＳＫによる復調用に設定されることが可能であり、２次元のコンステレーションダイアグラムは、ＱＰＳＫまたはＱＡＭに基づくことが可能である。
【００５６】
いくつかのシナリオにおいては、第２の無線送信は、マルチレイヤ変調方式に基づくことが可能であり、マルチレイヤ変調のベースレイヤが、ＡＣＫメッセージ、ＣＴＳメッセージ、またはその他のレガシーメッセージを伝達し、マルチレイヤ変調方式の１つまたは複数のさらに高いレイヤが、第２の無線デバイスへの表示を伝達する。図６Ａおよび６Ｂの階層変調方式に関連して、対応する例が説明される。
【００５７】
第２の無線デバイスへの表示は、第２の無線デバイスへのＮＡＣＫメッセージを含むことが可能である。しかしながら、その他のタイプの表示も使用されることが可能である。たとえば、第２の無線送信は、第２の無線デバイスからのさらなる無線送信に関する提案される変調および／もしくは符号化方式、ならびに／または第１の無線デバイスと第２の無線デバイスとの間における無線チャネル品質を示す制御情報を含むことが可能であり、この制御情報の存在は同時に、第１の無線送信が不成功であった旨の表示を提供することが可能である。したがって第２の無線デバイスは、制御情報を、第２の無線デバイスによる第１の無線送信の受信が不成功であった旨の表示として解釈するように設定されることが可能である。いくつかのシナリオにおいては、第２の無線送信は、第２の無線デバイスへのＮＡＣＫメッセージと、第２の無線デバイスからのさらなる無線送信に関する提案される変調および／もしくは符号化方式、ならびに／または第１の無線デバイスと第２の無線デバイスとの間における無線チャネル品質を示す追加情報とを含むことも可能である。
【００５８】
図８は、図７の方法に従って動作する無線デバイス８００の機能性を示すためのブロック図を示している。無線デバイス８００は、たとえば上述の受信局２０に対応することが可能である。示されているように、無線デバイス８００は、ステップ７１０に関連して説明されているものなど、第１の無線送信を受信するように設定されているモジュール８１０を提供されることが可能である。さらに無線デバイス８００は、ステップ７２０に関連して説明されているものなど、受信の失敗を検知するように設定されているモジュール８２０を提供されることが可能である。さらに無線デバイス８００は、ステップ７３０に関連して説明されているものなど、オーバレイされた失敗表示を伴う第２の無線送信を送るように設定されているモジュール８３０を提供されることが可能である。
【００５９】
無線デバイス８００は、ＷＬＡＮクライアントまたはアクセスポイントの知られている機能性など、その他の機能性を実施するためのさらなるモジュールを含むことが可能であるということに留意されたい。さらに、無線デバイス８００のモジュールは、無線デバイス８００のハードウェア構造を必ずしも表しているとは限らず、たとえば、ハードウェア、ソフトウェア、またはハードウェア、ソフトウェアの組合せによって実施される機能要素に対応することも可能であるということに留意されたい。
【００６０】
図９は、示されている概念を実施するために利用されることが可能である、無線送信を制御する方法を示すためのフローチャートを示している。図９の方法は、第２の無線デバイスへ無線送信を送信する第１の無線デバイスにおいて、示されている概念を実施するために使用されることが可能である。たとえば、第１の無線デバイスは、上述の送信局１０に対応することが可能であり、第２の無線デバイスは、上述の受信局２０に対応することが可能である。無線送信は、ＷＬＡＮ技術に、またはセルラ無線アクセス技術の競合ベースのモードに基づくことが可能である。
【００６１】
第１の無線デバイスのプロセッサベースの実施態様が使用される場合には、図９の方法のステップのうちの少なくともいくつかは、第１の無線デバイスの１つまたは複数のプロセッサによって実行および／または制御されることが可能である。そのような無線デバイスは、図９の方法の後述の機能性またはステップのうちの少なくともいくつかを実施するためのプログラムコードを格納しているメモリを含むことも可能である。
【００６２】
ステップ９１０において、第１の無線デバイスは、第２の無線デバイスへ第１の無線送信を送る。第１の無線送信は、たとえば、上述のデータフレーム１０１に関して説明されているものなど、ＷＬＡＮ技術のデータフレームであることが可能である。
【００６３】
ステップ９２０において、第１の無線デバイスは、オーバレイされた失敗表示を伴う第２の無線送信を受信する。すなわち、第１の無線デバイスは、第２の無線デバイスからの第２の無線送信を受信し、第２の無線送信は、第２の無線デバイスによる第１の無線送信の受信が不成功であった旨の第１の無線デバイスへの表示を含む。第２の無線送信は、第２の無線デバイスによる第１の無線送信の受信が成功であったということを第１の無線デバイスに示す肯定応答（ＡＣＫ）メッセージを含むものとして、または第１の無線デバイスへのＣＴＳメッセージ、すなわち、第２の無線デバイスからのＲＴＳメッセージに応答して送られて、第２の無線デバイスが第１の無線デバイスからの無線送信を受信する準備ができているということを示すメッセージを含むものとして、第１の無線デバイス以外の１つまたは複数の無線デバイスによって復号可能である。ＡＣＫメッセージは、単一の無線送信に確認応答するＡＣＫフレーム、または複数の無線送信に確認応答したいという要求に応じて送信されるブロックＡＣＫフレームであることが可能である。しかしながら、代替実施態様においては、第２の無線送信は、送信無線デバイスに宛てられているデータフレーム、たとえば、バーストもしくはフラグメントの第２のもしくは後続のＭＰＤＵ、ＰＣＦからのポールへの応答、またはＰＣＦの無競合期間中に送られるフレームなど、その他の無線デバイスによってサポートされるその他の何らかの種類のレガシーメッセージとして、１つまたは複数のその他の無線デバイスによって復号可能であるように生成されることも可能であるということに留意されたい。
【００６４】
第２の無線送信は、ＡＣＫメッセージ、ＣＴＳメッセージ、またはその他のレガシーメッセージに割り当てられている周波数リソースとは異なる周波数リソース上で第１の無線デバイスへの表示を伝達することが可能である。たとえば図３によって示されている変形形態のエッジサブキャリア３２０に関して説明されているように、第１の無線デバイスへの表示を伝達する周波数リソースは、ＡＣＫメッセージ、ＣＴＳメッセージ、またはその他のレガシーメッセージに割り当てられている周波数リソースに隣接している場合がある。
【００６５】
いくつかのシナリオにおいては、第２の無線送信は、たとえば図４によって示されている変形形態のオーバレイ帯域幅４２０に関して説明されているように、ＡＣＫメッセージ、ＣＴＳメッセージ、またはその他のレガシーメッセージに割り当てられている周波数リソースのサブセット上で第１の無線デバイスへの表示を伝達することが可能である。
【００６６】
いくつかのシナリオにおいては、周波数リソースのサブセットは、ＡＣＫメッセージ、ＣＴＳメッセージ、またはその他のレガシーメッセージの送信のために必要とされない周波数リソース、たとえば、従来ならパディングが適用されるであろう周波数リソースを含むことが可能である。
【００６７】
いくつかのシナリオにおいては、第２の無線送信は、１次元のコンステレーションダイアグラムを形成するコンステレーションポイントのサブセットを有する２次元のコンステレーションダイアグラムを規定する変調方式に基づくこと、たとえば、ＢＰＳＫ変調に対応していることが可能である。このケースにおいては、サブセットのコンステレーションポイントは、ＡＣＫメッセージ、ＣＴＳメッセージ、またはその他のレガシーメッセージを伝達することが可能であり、その一方で、２次元のコンステレーションダイアグラムの１つまたは複数のその他のコンステレーションポイントは、第１の無線デバイスへの表示を伝達する。π／４−ＱＰＳＫおよびＢＰＳＫに基づく対応する例が、図５Ａにおいて示されており、ＱＰＳＫまたは４−ＱＡＭおよびＢＰＳＫに基づく対応する例が、図５Ｂにおいて示されている。したがって、１次元のコンステレーションダイアグラムは、ＢＰＳＫによる復調用に設定されることが可能であり、２次元のコンステレーションダイアグラムは、ＱＰＳＫまたはＱＡＭに基づくことが可能である。
【００６８】
いくつかのシナリオにおいては、第２の無線送信は、マルチレイヤ変調方式に基づくことが可能であり、マルチレイヤ変調のベースレイヤが、ＡＣＫメッセージ、ＣＴＳメッセージ、またはその他のレガシーメッセージを伝達し、マルチレイヤ変調方式の１つまたは複数のさらに高いレイヤが、第１の無線デバイスへの表示を伝達する。図６Ａおよび６Ｂの階層変調方式に関連して、対応する例が説明される。
【００６９】
第１の無線デバイスへの表示は、第１の無線デバイスへのＮＡＣＫメッセージを含むことが可能である。しかしながら、その他のタイプの表示も使用されることが可能である。たとえば、第２の無線送信は、第１の無線デバイスからのさらなる無線送信に関する提案される変調および／もしくは符号化方式、ならびに／または第１の無線デバイスと第２の無線デバイスとの間における無線チャネル品質を示す制御情報を含むことが可能であり、この制御情報の存在は同時に、第１の無線送信が不成功であった旨の表示を提供することが可能である。したがって第１の無線デバイスは、制御情報を、第２の無線デバイスによる第１の無線送信の受信が不成功であった旨の表示として解釈することが可能である。いくつかのシナリオにおいては、第２の無線送信は、第１の無線デバイスへのＮＡＣＫメッセージと、第１の無線デバイスからのさらなる無線送信に関する提案される変調および／もしくは符号化方式、ならびに／または第１の無線デバイスと第２の無線デバイスとの間における無線チャネル品質を示す追加情報とを含むことも可能である。
【００７０】
図１０は、図９の方法に従って動作する無線デバイス１０００の機能性を示すためのブロック図を示している。無線デバイス１０００は、たとえば上述の送信局１０に対応することが可能である。示されているように、無線デバイス１０００は、ステップ９１０に関連して説明されているものなど、第１の無線送信を送るように設定されているモジュール１０１０を提供されることが可能である。さらに無線デバイス１０００は、ステップ９２０に関連して説明されているものなど、オーバレイされた失敗表示を伴う第２の無線送信を受信するように設定されているモジュール１０２０を提供されることが可能である。
【００７１】
無線デバイス１０００は、ＷＬＡＮクライアントまたはアクセスポイントの知られている機能性など、その他の機能性を実施するためのさらなるモジュールを含むことが可能であるということに留意されたい。さらに、無線デバイス１０００のモジュールは、無線デバイス１０００のハードウェア構造を必ずしも表しているとは限らず、たとえば、ハードウェア、ソフトウェア、またはハードウェア、ソフトウェアの組合せによって実施される機能要素に対応することも可能であるということに留意されたい。
【００７２】
図１１は、上述の概念を実施するために使用されることが可能である無線デバイス１１００のプロセッサベースの実施態様を示している。たとえば、図１１において示されている構造は、概念を上述の送信局１０または受信局２０において実施するために使用されることが可能である。
【００７３】
示されているように、無線デバイス１１００は、１つまたは複数の無線インターフェース１１１０を含む。無線インターフェースは、たとえばＷＬＡＮ技術またはセルラネットワーク技術の競合ベースのモードをサポートすることが可能である。
【００７４】
さらに無線デバイス１１００は、無線インターフェース１１１０に結合されている１つまたは複数のプロセッサ１１５０と、プロセッサ１１５０に結合されているメモリ１１６０とを含むことが可能である。例として、無線インターフェース１１１０、プロセッサ１１５０、およびメモリ１１６０は、無線デバイス１１００の１つまたは複数の内部バスシステムによって結合されることが可能である。メモリ１１６０は、読み取り専用メモリ（ＲＯＭ）、たとえば、フラッシュＲＯＭ、ランダムアクセスメモリ（ＲＡＭ）、たとえば、ダイナミックＲＡＭ（ＤＲＡＭ）またはスタティックＲＡＭ（ＳＲＡＭ）、マスストレージ、たとえば、ハードディスクまたはソリッドステートディスクなどを含むことが可能である。示されているように、メモリ１１６０は、ソフトウェア１１７０、ファームウェア１１８０、および／または制御パラメータ１１９０を含むことが可能である。メモリ１１６０は、図７および／または図９に関連して説明されているものなど、無線デバイスまたは無線デバイスを制御するための装置の上述の機能性を実施するためにプロセッサ１１５０によって実行されることになる適切に設定されているプログラムコードを含むことが可能である。
【００７５】
図１１において示されている構造は、概略的なものにすぎないということ、および無線デバイス１１００は、実際にはさらなるコンポーネント（それらは、明確にするために、示されていない）、たとえば、さらなるインターフェースまたはプロセッサを含むことが可能であるということを理解されたい。また、メモリ１１６０は、ＷＬＡＮクライアント、ＷＬＡＮアクセスポイント、または類似の無線デバイスの知られている機能性を実施するためのさらなるプログラムコードを含むことが可能であるということを理解されたい。いくつかの実施形態によれば、無線デバイス１１００の機能性を実施するためのコンピュータプログラムも、たとえば、メモリ１１６０に格納されることになるプログラムコードおよび／もしくはその他のデータを格納している物理的なメディアの形態で、またはそのプログラムコードをダウンロード用に利用可能にすることによって、またはストリーミングによって提供されることが可能である。
【００７６】
図７および図９に関連して説明されている機能性どうしは、図９の方法に従って動作する第１の無線デバイスと、図７の方法に従って動作する第２の無線デバイスと、１つまたは複数のその他の無線デバイスとを含むシステムにおいて組み合わされることも可能であるということに留意されたい。そのようなシステムにおいては、第１の無線デバイスは、第２の無線デバイスへ第１の無線送信を送ることが可能である。第２の無線デバイスは、第１の無線送信を受信する。第２の無線デバイスによる第１の無線送信の受信が不成功であることに応答して、第２の無線デバイスは、第１の無線デバイスへ第２の無線送信を送り、第２の無線送信は、第２の無線デバイスによる第１の無線送信の受信が不成功であった旨の第１の無線デバイスへの表示を含む。第２の無線デバイスは、第２の無線送信を、第２の無線デバイスによる第１の無線送信の受信が成功であったということを第１の無線デバイスに示すＡＣＫメッセージを含むものとして、または第１の無線デバイスへのＣＴＳメッセージを含むものとして、またはその他の無線デバイスによってサポートされるその他の何らかのタイプのレガシーメッセージを含むものとして、１つまたは複数のその他の無線デバイスによって復号可能であるように生成する。
【００７７】
見て取れるように、上述されている概念は、失敗表示用の伝達手段としてのオーバレイされた追加情報を伴うレガシーメッセージを使用して受信無線デバイスから送信無線デバイスへの明示的な失敗表示を提供することによって無線送信のためのフィードバックメカニズムを効率よく高めるために使用されることが可能である。この方法においては、いくつかの無線デバイスは、高められたフィードバックメカニズムから恩恵を享受することが可能であり、その一方で、高められたフィードバックメカニズムをサポートしていないレガシー無線デバイス上での悪影響が回避されることが可能である。さらに、明示的な失敗表示は、急速に変わるチャネル状況が１つまたは複数の無線送信の失敗した受信をもたらす場合の迅速な反応を可能にする。これは、上述の例のように、２０ＭＨｚ以上の大きな送信帯域幅を使用する無線技術において特に有益である。
【００７８】
上で説明されている例および実施形態は、例示的なものにすぎず、さまざまな修正を受け入れる余地があるということを理解されたい。たとえば、示されている概念は、ＷＬＡＮ技術またはセルラ無線技術の上述の例に限定されないさまざまな種類の無線技術に関連して適用されることが可能である。その上、上述の概念は、既存のデバイスもしくは装置の１つまたは複数のプロセッサによって実行されることになる対応して設計されているソフトウェアを使用することによって、または専用のデバイスハードウェアを使用することによって実施されることが可能であるということを理解されたい。さらに、示されている装置またはデバイスはそれぞれ、単一のデバイスとして、または複数の相互作用するデバイスもしくはモジュールからなるシステムとして実施されることが可能であるということに留意されたい。
【００７９】
上記を考慮して、本開示によって提供される実施形態は、下記を含む。
実施形態１：  無線通信ネットワークにおける無線送信を制御する方法であって、
−  第１の無線デバイス（２０、８００、１１００）が、第２の無線デバイス（１０、１０００、１１００）からの第１の無線送信（１０１）を受信することと、
−  第１の無線デバイス（２０、８００、１１００）による第１の無線送信（１０１）の受信が不成功であることに応答して、第１の無線デバイス（２０、８００、１１００）が、第２の無線デバイスへ第２の無線送信（１０３）を送ることであって、第２の無線送信（１０３）が、第１の無線デバイス（２０、８００、１１００）による第１の無線送信（１０１）の受信が不成功であった旨の第２の無線デバイス（１０、１０００、１１００）への表示を含む、第２の無線送信（１０３）を送ることと、
−  第１の無線デバイス（２０、８００、１１００）が、第２の無線送信（１０３）を、第１の無線デバイス（２０、８００、１１００）による第１の無線送信（１０１）の受信が成功であったということを第２の無線デバイス（１０、１０００、１１００）に示す肯定応答メッセージを含むものとして、または第２の無線デバイス（１０、１０００、１１００）への送信可メッセージを含むものとして、第２の無線デバイス（１０、１０００、１１００）以外の１つまたは複数の無線デバイス（３０）によって復号可能であるように生成することとを含む方法。
【００８０】
実施形態２：  第２の無線送信（１０３）が、肯定応答メッセージまたは送信可メッセージに割り当てられている周波数リソース（３１０）とは異なる周波数リソース（３２０）上で第２の無線デバイス（１０、１０００、１１００）への表示を伝達する、
実施形態１に記載の方法。
【００８１】
実施形態３：  第２の無線デバイス（１０、１０００、１１００）への表示を伝達する周波数リソース（３２０）が、肯定応答メッセージまたは送信可メッセージに割り当てられている周波数リソース（３１０）に隣接している、
実施形態２に記載の方法。
【００８２】
実施形態４：  第２の無線送信（１０３）が、肯定応答メッセージまたは送信可メッセージに割り当てられている周波数リソース（４１０）のサブセット（４２０）上で第２の無線デバイス（１０、１０００、１１００）への表示を伝達する、
実施形態１から３のいずれか１つに記載の方法。
【００８３】
実施形態５：  周波数リソースのサブセット（４１０）が、肯定応答メッセージまたは送信可メッセージの送信のために必要とされない周波数リソースを含む、
実施形態４に記載の方法。
【００８４】
実施形態６：  第２の無線送信（１０３）が、１次元のコンステレーションダイアグラムを形成するコンステレーションポイント（５１０、５３０）のサブセットを有する２次元のコンステレーションダイアグラムを規定する変調方式に基づいており、
サブセットのコンステレーションポイント（５１０、５３０）が、肯定応答メッセージまたは送信可メッセージを伝達し、
２次元のコンステレーションダイアグラムの１つまたは複数のその他のコンステレーションポイント（５２０、５４０）が、第２の無線デバイス（１０、１０００、１１００）への表示を伝達する、
実施形態１から５のいずれか１つに記載の方法。
【００８５】
実施形態７：  １次元のコンステレーションダイアグラムが、バイナリー位相シフトキーイングによる復調用に設定されている、
実施形態６に記載の方法。
【００８６】
実施形態８：  ２次元のコンステレーションダイアグラムが、直交位相シフトキーイングまたは直交振幅変調に基づいている、
実施形態６または７に記載の方法。
【００８７】
実施形態９．  第２の無線送信（１０３）が、マルチレイヤ変調方式に基づいており、マルチレイヤ変調のベースレイヤ（６１０、６３０）が、肯定応答メッセージまたは送信可メッセージを伝達し、マルチレイヤ変調方式の１つまたは複数のさらに高いレイヤ（６２０、６４０）が、第２の無線デバイス（１０、１０００、１１００）への表示を伝達する、
実施形態１から８のいずれか１つに記載の方法。
【００８８】
実施形態１０：  第２の無線デバイス（１０、１０００、１１００）への表示が、第２の無線デバイス（１０、１０００、１１００）への否定応答メッセージを含む、
実施形態１から９のいずれか１つに記載の方法。
【００８９】
実施形態１１：  第２の無線送信（１０３）が、第２の無線デバイス（１０、１０００、１１００）から第１の無線デバイス（２０、８００、１１００）へのさらなる無線送信に関する提案される変調および／または符号化方式を示す制御情報を含む、
実施形態１から１０のいずれか１つに記載の方法。
【００９０】
実施形態１２：  第２の無線送信（１０３）がさらに、第１の無線デバイス（２０、８００、１１００）と第２の無線デバイス（１０、１０００、１１００）との間における無線チャネル品質を示す制御情報を含む、
実施形態１から１１のいずれか１つに記載の方法。
【００９１】
実施形態１３：  第２の無線デバイス（１０、１０００、１１００）が、制御情報を、第１の無線デバイス（２０、８００、１１００）による第１の無線送信（１０１）の受信が不成功であった旨の表示として解釈するように設定されている、
実施形態１１または１２に記載の方法。
【００９２】
実施形態１４：  無線送信が、ワイヤレスローカルエリアネットワーク技術に基づいている、
実施形態１から１３のいずれか１つに記載の方法。
【００９３】
実施形態１５：  無線送信が、セルラ無線アクセス技術の競合ベースのモードに基づいている、
実施形態１から１３のいずれか１つに記載の方法。
【００９４】
実施形態１６：  無線通信ネットワークにおける無線送信を制御する方法であって、
−  第１の無線デバイス（１０、１０００、１１００）が、第２の無線デバイス（２０、８００、１１００）へ第１の無線送信（１０１）を送ることと、
−  第１の無線デバイス（１０、１０００、１１００）が、第２の無線デバイス（２０、８００、１１００）からの第２の無線送信（１０３）を受信することであって、第２の無線送信（１０３）が、第２の無線デバイス（２０、８００、１１００）による第１の無線送信（１０１）の受信が不成功であった旨の第１の無線デバイス（１０、１０００、１１００）への表示を含む、第２の無線送信（１０３）を受信することとを含み、
第２の無線送信（１０３）が、第２の無線デバイス（２０、８００、１１００）による第１の無線送信の受信が成功であったということを第１の無線デバイス（１０、１０００、１１００）に示す肯定応答メッセージを含むものとして、または第１の無線デバイス（１０、１０００、１１００）への送信可メッセージを含むものとして、第１の無線デバイス（１０、１０００、１１００）以外の１つまたは複数の無線デバイス（３０）によって復号可能である、方法。
【００９５】
実施形態１７：  第２の無線送信（１０３）が、肯定応答メッセージまたは送信可メッセージに割り当てられている周波数リソース（３１０）とは異なる周波数リソース（３２０）上で第１の無線デバイス（１０、１０００、１１００）への表示を伝達する、
実施形態１６に記載の方法。
【００９６】
実施形態１８：  第１の無線デバイス（１０、１０００、１１００）への表示を伝達する周波数リソース（３２０）が、肯定応答メッセージまたは送信可メッセージに割り当てられている周波数リソース（３１０）に隣接している、
実施形態１７に記載の方法。
【００９７】
実施形態１９：  第２の無線送信（１０３）が、肯定応答メッセージまたは送信可メッセージに割り当てられている周波数リソース（４１０）のサブセット（４２０）上で第１の無線デバイス（１０、１０００、１１００）への表示を伝達する、
実施形態１６から１８のいずれか１つに記載の方法。
【００９８】
実施形態２０：  周波数リソースのサブセット（４２０）が、肯定応答メッセージまたは送信可メッセージの送信のために必要とされない周波数リソースを含む、
実施形態１９に記載の方法。
【００９９】
実施形態２１：  第２の無線送信（１０３）が、１次元のコンステレーションダイアグラムを形成するコンステレーションポイント（５１０、５３０）のサブセットを有する２次元のコンステレーションダイアグラムを規定する変調方式に基づいており、
サブセットのコンステレーションポイント（５１０、５３０）が、肯定応答メッセージまたは送信可メッセージを伝達し、
２次元のコンステレーションダイアグラムの１つまたは複数のその他のコンステレーションポイント（５２０、５４０）が、第１の無線デバイス（１０、１０００、１１００）への表示を伝達する、
実施形態１６から２０のいずれか１つに記載の方法。
【０１００】
実施形態２２：  １次元のコンステレーションダイアグラムが、バイナリー位相シフトキーイングによる復調用に設定されている、
実施形態２１に記載の方法。
【０１０１】
実施形態２３：  ２次元のコンステレーションダイアグラムが、直交位相シフトキーイングまたは直交振幅変調に基づいている、
実施形態２１または２２に記載の方法。
【０１０２】
実施形態２４：  第２の無線送信（１０３）が、マルチレイヤ変調方式に基づいており、マルチレイヤ変調のベースレイヤ（６１０、６３０）が、肯定応答メッセージまたは送信可メッセージを伝達し、マルチレイヤ変調方式の１つまたは複数のさらに高いレイヤ（６２０、６４０）が、第１の無線デバイス（１０、１０００、１１００）への表示を伝達する、
実施形態１６から２３のいずれか１つに記載の方法。
【０１０３】
実施形態２５：  第１の無線デバイス（１０、１０００、１１００）への表示が、第１の無線デバイス（１０、１０００、１１００）への否定応答メッセージを含む、
実施形態１６から２４のいずれか１つに記載の方法。
【０１０４】
実施形態２６：  第２の無線送信（１０３）が、第１の無線デバイス（１０、１０００、１１００）から第２の無線デバイス（２０、８００、１１００）へのさらなる無線送信に関する提案される変調および／または符号化方式を示す制御情報を含む、
実施形態１６から２５のいずれか１つに記載の方法。
【０１０５】
実施形態２７：  第２の無線送信が、第１の無線デバイス（１０、１０００、１１００）と第２の無線デバイス（２０、８００、１１００）との間における無線チャネル品質を示す制御情報を含む、
実施形態１６から２６のいずれか１つに記載の方法。
【０１０６】
実施形態２８：  第１の無線デバイス（１０、１０００、１１００）が、制御情報を、第２の無線デバイス（２０、８００、１１００）による第１の無線送信（１０１）の受信が不成功であった旨の表示として解釈すること
を含む、実施形態２６または２７に記載の方法。
【０１０７】
実施形態２９：  無線送信が、ワイヤレスローカルエリアネットワーク技術に基づいている、
実施形態１６から２８のいずれか１つに記載の方法。
【０１０８】
実施形態３０：  無線送信が、セルラ無線アクセス技術の競合ベースのモードに基づいている、
実施形態１６から２８のいずれか１つに記載の方法。
【０１０９】
実施形態３１：  無線通信ネットワークのための無線デバイス（２０、８００、１１００）であって、
−  さらなる無線デバイス（１０、１０００、１１００）からの第１の無線送信（１０１）を受信することと、
−  無線デバイス（２０、８００、１１００）による第１の無線送信（１０１）の受信が不成功であることに応答して、さらなる無線デバイス（１０、１０００、１１００）へ第２の無線送信（１０３）を送ることであって、第２の無線送信（１０３）が、無線デバイス（２０、８００、１１００）による第１の無線送信（１０１）の受信が不成功であった旨のさらなる無線デバイス（１０、１０００、１１００）への表示を含む、第２の無線送信（１０３）を送ることと、
−  第２の無線送信（１０３）を、無線デバイス（２０、８００、１１００）による第１の無線送信（１０１）の受信が成功であったということをさらなる無線デバイス（１０、１０００、１１００）に示す肯定応答メッセージを含むものとして、またはさらなる無線デバイス（１０、１０００、１１００）への送信可メッセージを含むものとして、さらなる無線デバイス（１０、１０００、１１００）以外の１つまたは複数の無線デバイス（３０）によって復号可能であるように生成することとを行うように設定されている無線デバイス（２０、８００、１１００）。
【０１１０】
実施形態３２：  第２の無線送信（１０３）が、肯定応答メッセージまたは送信可メッセージに割り当てられている周波数リソース（３１０）とは異なる周波数リソース（３２０）上でさらなる無線デバイス（１０、１０００、１１００）への表示を伝達する、
実施形態３１に記載の無線デバイス（２０、８００、１１００）。
【０１１１】
実施形態３３：  さらなる無線デバイス（１０、１０００、１１００）への表示を伝達する周波数リソース（３２０）が、肯定応答メッセージまたは送信可メッセージに割り当てられている周波数リソース（３１０）に隣接している、
実施形態３２に記載の無線デバイス（２０、８００、１１００）。
【０１１２】
実施形態３４：  第２の無線送信（１０３）が、肯定応答メッセージまたは送信可メッセージに割り当てられている周波数リソース（４１０）のサブセット（４２０）上でさらなる無線デバイス（１０、１０００、１１００）への表示を伝達する、
実施形態３１から３３のいずれか１つに記載の無線デバイス（２０、８００、１１００）。
【０１１３】
実施形態３５：  周波数リソースのサブセット（４１０）が、肯定応答メッセージまたは送信可メッセージの送信のために必要とされない周波数リソースを含む、
実施形態３４に記載の無線デバイス（２０、８００、１１００）。
【０１１４】
実施形態３６：  第２の無線送信（１０３）が、１次元のコンステレーションダイアグラムを形成するコンステレーションポイント（５１０、５３０）のサブセットを有する２次元のコンステレーションダイアグラムを規定する変調方式に基づいており、
サブセットのコンステレーションポイント（５１０、５３０）が、肯定応答メッセージまたは送信可メッセージを伝達し、
２次元のコンステレーションダイアグラムの１つまたは複数のその他のコンステレーションポイント（５２０、５４０）が、さらなる無線デバイス（１０、１０００、１１００）への表示を伝達する、
実施形態３１から３５のいずれか１つに記載の無線デバイス（２０、８００、１１００）。
【０１１５】
実施形態３７：  １次元のコンステレーションダイアグラムが、バイナリー位相シフトキーイングによる復調用に設定されている、
実施形態３６に記載の無線デバイス（２０、８００、１１００）。
【０１１６】
実施形態３８：  ２次元のコンステレーションダイアグラムが、直交位相シフトキーイングまたは直交振幅変調に基づいている、
実施形態３６または３７に記載の無線デバイス（２０、８００、１１００）。
【０１１７】
実施形態３９：  第２の無線送信（１０３）が、マルチレイヤ変調方式に基づいており、マルチレイヤ変調のベースレイヤ（６１０、６３０）が、肯定応答メッセージまたは送信可メッセージを伝達し、マルチレイヤ変調方式の１つまたは複数のさらに高いレイヤ（６２０、６４０）が、さらなる無線デバイス（１０、１０００、１１００）への表示を伝達する、
実施形態３１から３８のいずれか１つに記載の無線デバイス（２０、８００、１１００）。
【０１１８】
実施形態４０：  さらなる無線デバイス（１０、１０００、１１００）への表示が、さらなる無線デバイス（１０、１０００、１１００）への否定応答メッセージを含む、
実施形態３１から３９のいずれか１つに記載の無線デバイス（２０、８００、１１００）。
【０１１９】
実施形態４１：  第２の無線送信（１０３）が、さらなる無線デバイス（１０、１０００、１１００）から無線デバイス（２０、８００、１１００）へのさらなる無線送信に関する提案される変調および／または符号化方式を示す制御情報を含む、
実施形態３１から４０のいずれか１つに記載の無線デバイス（２０、８００、１１００）。
【０１２０】
実施形態４２：  第２の無線送信（１０３）がさらに、無線デバイス（２０、８００、１１００）とさらなる無線デバイス（１０、１０００、１１００）との間における無線チャネル品質を示す制御情報を含む、
実施形態３１から４１のいずれか１つに記載の無線デバイス（２０、８００、１１００）。
【０１２１】
実施形態４３：  さらなる無線デバイス（１０、１０００、１１００）が、制御情報を、第１の無線デバイス（２０、８００、１１００）による第１の無線送信（１０１）の受信が不成功であった旨の表示として解釈するように設定されている、
実施形態３１または４２に記載の無線デバイス（２０、８００、１１００）。
【０１２２】
実施形態４４：  無線送信が、ワイヤレスローカルエリアネットワーク技術に基づいている、
実施形態３１から４３のいずれか１つに記載の無線デバイス（２０、８００、１１００）。
【０１２３】
実施形態４５：  無線送信が、セルラ無線アクセス技術の競合ベースのモードに基づいている、
実施形態３１から４４のいずれか１つに記載の無線デバイス（２０、８００、１１００）。
【０１２４】
実施形態４６：  実施形態１から１５のいずれか１つに記載の方法の第１の無線デバイス（２０、８００、１１００）として動作するように設定されている、
実施形態３１から４５のいずれか１つに記載の無線デバイス（２０、８００、１１００）。
【０１２５】
実施形態４７：  少なくとも１つのプロセッサと、前記少なくとも１つのプロセッサによって実行可能な命令を含むメモリとを含み、実施形態１から１５のいずれか１つに記載の方法の第１の無線デバイス（２０、８００、１１００）として動作する、
実施形態３１から４６のいずれか１つに記載の無線デバイス（２０、８００、１１００）。
【０１２６】
実施形態４８：  無線通信ネットワークのための無線デバイス（１０、１０００、１１００）であって、
−  さらなる無線デバイス（２０、８００、１１００）へ第１の無線送信（１０１）を送ることと、
−  さらなる無線デバイス（２０、８００、１１００）からの第２の無線送信（１０３）を受信することであって、第２の無線送信（１０３）が、さらなる無線デバイス（２０、８００、１１００）による第１の無線送信（１０１）の受信が不成功であった旨の無線デバイス（１０、１０００、１１００）への表示を含む、第２の無線送信（１０３）を受信することとを行うように設定されており、
第２の無線送信（１０３）が、さらなる無線デバイス（２０、８００、１１００）による第１の無線送信（１０１）の受信が成功であったということを無線デバイス（１０、１０００、１１００）に示す肯定応答メッセージを含むものとして、または無線デバイス（１０、１０００、１１００）への送信可メッセージを含むものとして、無線デバイス（１０、１０００、１１００）以外の１つまたは複数の無線デバイス（３０）によって復号可能である、無線デバイス（１０、１０００、１１００）。
【０１２７】
実施形態４９：  第２の無線送信（１０３）が、肯定応答メッセージまたは送信可メッセージに割り当てられている周波数リソース（３１０）とは異なる周波数リソース（３２０）上で無線デバイス（１０、１０００、１１００）への表示を伝達する、
実施形態４８に記載の無線デバイス（１０、１０００、１１００）。
【０１２８】
実施形態５０：  無線デバイス（１０、１０００、１１００）への表示を伝達する周波数リソース（３２０）が、肯定応答メッセージまたは送信可メッセージに割り当てられている周波数リソース（３１０）に隣接している、
実施形態４９に記載の無線デバイス（１０、１０００、１１００）。
【０１２９】
実施形態５１：  第２の無線送信（１０３）が、肯定応答メッセージまたは送信可メッセージに割り当てられている周波数リソース（４１０）のサブセット（４２０）上で無線デバイス（１０、１０００、１１００）への表示を伝達する、
実施形態４８から５０のいずれか１つに記載の無線デバイス（１０、１０００、１１００）。
【０１３０】
実施形態５２：  周波数リソースのサブセット（４２０）が、肯定応答メッセージまたは送信可メッセージの送信のために必要とされない周波数リソースを含む、
実施形態５１に記載の無線デバイス（１０、１０００、１１００）。
【０１３１】
実施形態５３：  第２の無線送信（１０３）が、１次元のコンステレーションダイアグラムを形成するコンステレーションポイント（５１０、５３０）のサブセットを有する２次元のコンステレーションダイアグラムを規定する変調方式に基づいており、
サブセットのコンステレーションポイント（５１０、５３０）が、肯定応答メッセージまたは送信可メッセージを伝達し、
２次元のコンステレーションダイアグラムの１つまたは複数のその他のコンステレーションポイント（５２０、５４０）が、無線デバイス（１０、１０００、１１００）への表示を伝達する、
実施形態４８から５２のいずれか１つに記載の無線デバイス（１０、１０００、１１００）。
【０１３２】
実施形態５４：  １次元のコンステレーションダイアグラムが、バイナリー位相シフトキーイングによる復調用に設定されている、
実施形態５３に記載の無線デバイス（１０、１０００、１１００）。
【０１３３】
実施形態５５：  ２次元のコンステレーションダイアグラムが、直交位相シフトキーイングまたは直交振幅変調に基づいている、
実施形態５３または５４に記載の無線デバイス（１０、１０００、１１００）。
【０１３４】
実施形態５６：  第２の無線送信（１０３）が、マルチレイヤ変調方式に基づいており、マルチレイヤ変調のベースレイヤ（６１０、６３０）が、肯定応答メッセージまたは送信可メッセージを伝達し、マルチレイヤ変調方式の１つまたは複数のさらに高いレイヤ（６２０、６４０）が、無線デバイス（１０、１０００、１１００）への表示を伝達する、
実施形態４８から５５のいずれか１つに記載の無線デバイス（１０、１０００、１１００）。
【０１３５】
実施形態５７：  無線デバイス（１０、１０００、１１００）への表示が、無線デバイス（１０、１０００、１１００）への否定応答メッセージを含む、
実施形態４８から５６のいずれか１つに記載の無線デバイス（１０、１０００、１１００）。
【０１３６】
実施形態５８：  第２の無線送信（１０３）が、無線デバイス（１０、１０００、１１００）からさらなる無線デバイス（２０、８００、１１００）へのさらなる無線送信に関する提案される変調および／または符号化方式を示す制御情報を含む、
実施形態４８から５７のいずれか１つに記載の無線デバイス（１０、１０００、１１００）。
【０１３７】
実施形態５９：  第２の無線送信が、無線デバイス（１０、１０００、１１００）とさらなる無線デバイス（２０、８００、１１００）との間における無線チャネル品質を示す制御情報を含む、
実施形態４８から５８のいずれか１つに記載の無線デバイス（１０、１０００、１１００）。
【０１３８】
実施形態６０：  無線デバイス（１０、１０００、１１００）が、制御情報を、さらなる無線デバイス（２０、８００、１１００）による第１の無線送信（１０１）の受信が不成功であった旨の表示として解釈するように設定されている、
実施形態５８または５９に記載の無線デバイス（１０、１０００、１１００）。
【０１３９】
実施形態６１：  無線送信が、ワイヤレスローカルエリアネットワーク技術に基づいている、
実施形態４８から６０のいずれか１つに記載の無線デバイス（１０、１０００、１１００）。
【０１４０】
実施形態６２：  無線送信が、セルラ無線アクセス技術の競合ベースのモードに基づいている、
実施形態４８から６０のいずれか１つに記載の無線デバイス（１０、１０００、１１００）。
【０１４１】
実施形態６３：  実施形態１６から３０のいずれか１つに記載の方法の第１の無線デバイス（１０、１０００、１１００）として動作するように設定されている、
実施形態４８から６２のいずれか１つに記載の無線デバイス（１０、１０００、１１００）。
【０１４２】
実施形態６４：  少なくとも１つのプロセッサと、前記少なくとも１つのプロセッサによって実行可能な命令を含むメモリとを含み、実施形態１６から３０のいずれか１つに記載の方法の第１の無線デバイス（１０、１０００、１１００）として動作する、
実施形態４８から６３のいずれか１つに記載の無線デバイス（１０、１０００、１１００）。
【０１４３】
実施形態６５：  第１の無線デバイス（１０、１０００、１１００）と、第２の無線デバイス（２０、８００、１１００）と、１つまたは複数のその他の無線デバイス（３０）と
を含むシステムであって、
第１の無線デバイス（１０、１０００、１１００）が、第２の無線デバイス（２０、８００、１１００）へ第１の無線送信（１０１）を送るように設定されており、
第２の無線デバイス（２０、８００、１１００）が、
−  第１の無線送信（１０１）を受信することと、
−  第２の無線デバイス（２０、８００、１１００）による第１の無線送信（１０１）の受信が不成功であることに応答して、第１の無線デバイス（１０、１０００、１１００）へ第２の無線送信（１０３）を送ることであって、第２の無線送信（１０３）が、第２の無線デバイス（２０、８００、１１００）による第１の無線送信（１０１）の受信が不成功であった旨の第１の無線デバイス（１０、１０００、１１００）への表示を含む、第２の無線送信（１０３）を送ることと、
−  第２の無線送信（１０３）を、第２の無線デバイス（２０、８００、１１００）による第１の無線送信（１０１）の受信が成功であったということを第１の無線デバイス（１０、１０００、１１００）に示す肯定応答メッセージを含むものとして、または第１の無線デバイス（１０、１０００、１１００）への送信可メッセージを含むものとして、１つまたは複数のその他の無線デバイス（３０）によって復号可能であるように生成することとを行うように設定されている、システム。
【０１４４】
実施形態６６：  無線デバイス（２０、８００、１１００）の少なくとも１つのプロセッサによって実行されることになるプログラムコードを含むコンピュータプログラムであって、プログラムコードの実行が、実施形態１から１５のいずれか１つに記載の方法の第１の無線デバイス（２０、８００、１１００）として動作することを無線デバイス（２０、８００、１１００）に行わせる、コンピュータプログラム。
【０１４５】
実施形態６７：  無線デバイス（２０、８００、１１００）の少なくとも１つのプロセッサによって実行されることになるプログラムコードを含むコンピュータプログラム製品であって、プログラムコードの実行が、実施形態１から１５のいずれか１つに記載の方法の第１の無線デバイス（２０、８００、１１００）として動作することを無線デバイス（２０、８００、１１００）に行わせる、コンピュータプログラム製品。
【０１４６】
実施形態６８：  無線デバイス（１０、１０００、１１００）の少なくとも１つのプロセッサによって実行されることになるプログラムコードを含むコンピュータプログラムであって、プログラムコードの実行が、実施形態１６から３０のいずれか１つに記載の方法の第１の無線デバイス（１０、１０００、１１００）として動作することを無線デバイス（１０、１０００、１１００）に行わせる、コンピュータプログラム。
【０１４７】
実施形態６９：  無線デバイス（１０、１０００、１１００）の少なくとも１つのプロセッサによって実行されることになるプログラムコードを含むコンピュータプログラム製品であって、プログラムコードの実行が、実施形態１６から３０のいずれか１つに記載の方法の第１の無線デバイス（１０、１０００、１１００）として動作することを無線デバイス（１０、１０００、１１００）に行わせる、コンピュータプログラム製品。
【図１】
2021515444.tif 000003
【図２】
2021515444.tif 000004
【図３】
2021515444.tif 000005
【図４】
2021515444.tif 000006
【図５Ａ】
2021515444.tif 000007
【図５Ｂ】
2021515444.tif 000008
【図６Ａ】
2021515444.tif 000009
【図６Ｂ】
2021515444.tif 000010
【図７】
2021515444.tif 000011
【図８】
2021515444.tif 000012
【図９】
2021515444.tif 000013
【図１０】
2021515444.tif 000014
【図１１】
2021515444.tif 000015
【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
無線通信ネットワークにおける無線送信を制御する方法であって、
第１の無線デバイス（２０、８００、１１００）が、第２の無線デバイス（１０、１０００、１１００）から第１の無線送信（１０１）を受信することと、
前記第１の無線デバイス（２０、８００、１１００）による前記第１の無線送信（１０１）の受信が不成功であることに応答して、前記第１の無線デバイス（２０、８００、１１００）が、前記第２の無線デバイス（１０、１０００、１１００）へ第２の無線送信（１０３）を送ることであって、前記第２の無線送信（１０３）は、前記第２の無線送信（１０３）が前記第２の無線デバイス（１０、１０００、１１００）に宛てられているということを示す受信機アドレスと、前記第１の無線デバイス（２０、８００、１１００）による前記第１の無線送信（１０１）の受信が不成功であった旨の前記第２の無線デバイス（１０、１０００、１１００）への表示とを含む、第２の無線送信（１０３）を送ることと、
前記第１の無線デバイス（２０、８００、１１００）が、前記第２の無線送信（１０３）を、前記第１の無線デバイス（２０、８００、１１００）による前記第１の無線送信（１０１）の受信が成功であったということを前記第２の無線デバイス（１０、１０００、１１００）に示す肯定応答メッセージを含むものとして、または前記第２の無線デバイス（１０、１０００、１１００）へ送られる送信可メッセージを含むものとして、前記第２の無線デバイス（１０、１０００、１１００）以外の１つまたは複数の無線デバイス（３０）によって復号可能であるように生成することとを含む、
無線送信を制御する方法。
【請求項２】
前記第２の無線送信（１０３）が、前記肯定応答メッセージまたは送信可メッセージに割り当てられている周波数リソース（３１０）とは異なる周波数リソース（３２０）上で前記第２の無線デバイス（１０、１０００、１１００）への前記表示を伝達する、
請求項１に記載の方法。
【請求項３】
前記第２の無線デバイス（１０、１０００、１１００）への前記表示を伝達する前記周波数リソース（３２０）が、前記肯定応答メッセージまたは送信可メッセージに割り当てられている前記周波数リソース（３１０）に隣接している、
請求項２に記載の方法。
【請求項４】
前記第２の無線送信（１０３）が、前記肯定応答メッセージまたは送信可メッセージに割り当てられている周波数リソース（４１０）のサブセット（４２０）上で前記第２の無線デバイス（１０、１０００、１１００）への前記表示を伝達する、
請求項１から３のいずれか一項に記載の方法。
【請求項５】
周波数リソースの前記サブセット（４１０）が、前記肯定応答メッセージまたは送信可メッセージの送信のために必要とされない周波数リソースを含む、
請求項４に記載の方法。
【請求項６】
前記第２の無線送信（１０３）が、１次元のコンステレーションダイアグラムを形成するコンステレーションポイント（５１０、５３０）のサブセットを有する２次元のコンステレーションダイアグラムを規定する変調方式に基づいており、
前記サブセットの前記コンステレーションポイント（５１０、５３０）が、前記肯定応答メッセージまたは送信可メッセージを伝達し、
前記２次元のコンステレーションダイアグラムの１つまたは複数のその他のコンステレーションポイント（５２０、５４０）が、前記第２の無線デバイス（１０、１０００、１１００）への前記表示を伝達する、
請求項１から５のいずれか一項に記載の方法。
【請求項７】
前記１次元のコンステレーションダイアグラムが、バイナリー位相シフトキーイングによる復調用に設定されている、
請求項６に記載の方法。
【請求項８】
前記２次元のコンステレーションダイアグラムが、直交位相シフトキーイングまたは直交振幅変調に基づいている、
請求項６または７に記載の方法。
【請求項９】
前記第２の無線送信（１０３）が、前記第２の無線デバイス（１０、１０００、１１００）から前記第１の無線デバイス（２０、８００、１１００）へのさらなる無線送信に関する提案される変調および／または符号化方式を示す制御情報を含む、
請求項１から８のいずれか一項に記載の方法。
【請求項１０】
前記第２の無線送信（１０３）がさらに、前記第１の無線デバイス（２０、８００、１１００）と前記第２の無線デバイス（１０、１０００、１１００）との間における無線チャネル品質を示す制御情報を含む、
請求項１から９のいずれか一項に記載の方法。
【請求項１１】
無線通信ネットワークにおける無線送信を制御する方法であって、
第１の無線デバイス（１０、１０００、１１００）が、第２の無線デバイス（２０、８００、１１００）へ第１の無線送信（１０１）を送ることと、
前記第１の無線デバイス（１０、１０００、１１００）が、前記第２の無線デバイス（２０、８００、１１００）からの第２の無線送信（１０３）を受信することであって、前記第２の無線送信（１０３）は、前記第２の無線送信（１０３）が前記第１の無線デバイス（１０、１０００、１１００）に宛てられているということを示す受信機アドレスと、前記第２の無線デバイス（２０、８００、１１００）による前記第１の無線送信（１０１）の受信が不成功であった旨の前記第１の無線デバイス（１０、１０００、１１００）への表示とを含む、第２の無線送信（１０３）を受信することとを含み、
前記第２の無線送信（１０３）が、前記第２の無線デバイス（２０、８００、１１００）による前記第１の無線送信の受信が成功であったということを前記第１の無線デバイス（１０、１０００、１１００）に示す肯定応答メッセージを含むものとして、または前記第１の無線デバイス（１０、１０００、１１００）へ送られる送信可メッセージを含むものとして、前記第１の無線デバイス（１０、１０００、１１００）以外の１つまたは複数の無線デバイス（３０）によって復号可能である、
無線送信を制御する方法。
【請求項１２】
前記第２の無線送信（１０３）が、前記肯定応答メッセージまたは送信可メッセージに割り当てられている周波数リソース（３１０）とは異なる周波数リソース（３２０）上で前記第１の無線デバイス（１０、１０００、１１００）への前記表示を伝達する、
請求項１１に記載の方法。
【請求項１３】
前記第１の無線デバイス（１０、１０００、１１００）への前記表示を伝達する前記周波数リソース（３２０）が、前記肯定応答メッセージまたは送信可メッセージに割り当てられている前記周波数リソース（３１０）に隣接している、
請求項１２に記載の方法。
【請求項１４】
前記第２の無線送信（１０３）が、１次元のコンステレーションダイアグラムを形成するコンステレーションポイント（５１０、５３０）のサブセットを有する２次元のコンステレーションダイアグラムを規定する変調方式に基づいており、
前記サブセットの前記コンステレーションポイント（５１０、５３０）が、前記肯定応答メッセージまたは送信可メッセージを伝達し、
前記２次元のコンステレーションダイアグラムの１つまたは複数のその他のコンステレーションポイント（５２０、５４０）が、前記第１の無線デバイス（１０、１０００、１１００）への前記表示を伝達する、
請求項１１から１３のいずれか一項に記載の方法。
【請求項１５】
前記１次元のコンステレーションダイアグラムが、バイナリー位相シフトキーイングによる復調用に設定されている、
請求項１４に記載の方法。
【請求項１６】
前記２次元のコンステレーションダイアグラムが、直交位相シフトキーイングまたは直交振幅変調に基づいている、
請求項１４または１５に記載の方法。
【請求項１７】
無線通信ネットワークのための無線デバイス（２０、８００、１１００）であって、少なくとも１つのプロセッサと、前記少なくとも１つのプロセッサによって実行可能な命令を含むメモリとを含み、
さらなる無線デバイス（１０、１０００、１１００）からの第１の無線送信（１０１）を受信することと、
前記無線デバイス（２０、８００、１１００）による前記第１の無線送信（１０１）の受信が不成功であることに応答して、前記さらなる無線デバイス（１０、１０００、１１００）へ第２の無線送信（１０３）を送ることであって、前記第２の無線送信（１０３）は、前記第２の無線送信（１０３）が前記さらなる無線デバイス（１０、１０００、１１００）に宛てられているということを示す受信機アドレスと、前記無線デバイス（２０、８００、１１００）による前記第１の無線送信（１０１）の受信が不成功であった旨の前記さらなる無線デバイス（１０、１０００、１１００）への表示とを含む、第２の無線送信（１０３）を送ることと、
前記第２の無線送信（１０３）を、前記無線デバイス（２０、８００、１１００）による前記第１の無線送信（１０１）の受信が成功であったということを前記さらなる無線デバイス（１０、１０００、１１００）に示す肯定応答メッセージを含むものとして、または前記さらなる無線デバイス（１０、１０００、１１００）へ送られる送信可メッセージを含むものとして、前記さらなる無線デバイス（１０、１０００、１１００）以外の１つまたは複数の無線デバイス（３０）によって復号可能であるように生成することとを行うように設定されている無線デバイス（２０、８００、１１００）。
【請求項１８】
請求項２から１０のいずれか一項に記載の方法の前記第１の無線デバイス（２０、８００、１１００）として動作するように設定されている、
請求項１７に記載の無線デバイス（２０、８００、１１００）。
【請求項１９】
無線通信ネットワークのための無線デバイス（１０、１０００、１１００）であって、少なくとも１つのプロセッサと、前記少なくとも１つのプロセッサによって実行可能な命令を含むメモリとを含み、
さらなる無線デバイス（２０、８００、１１００）へ第１の無線送信（１０１）を送ることと、
前記さらなる無線デバイス（２０、８００、１１００）からの第２の無線送信（１０３）を受信することであって、前記第２の無線送信（１０３）は、前記第２の無線送信（１０３）が前記無線デバイス（１０、１０００、１１００）に宛てられているということを示す受信機アドレスと、前記さらなる無線デバイス（２０、８００、１１００）による前記第１の無線送信（１０１）の受信が不成功であった旨の前記無線デバイス（１０、１０００、１１００）への表示とを含む、第２の無線送信（１０３）を受信することとを行うように設定されており、
前記第２の無線送信（１０３）が、前記さらなる無線デバイス（２０、８００、１１００）による前記第１の無線送信（１０１）の受信が成功であったということを前記無線デバイス（１０、１０００、１１００）に示す肯定応答メッセージを含むものとして、または前記無線デバイス（１０、１０００、１１００）へ送られる送信可メッセージを含むものとして、前記無線デバイス（１０、１０００、１１００）以外の１つまたは複数の無線デバイス（３０）によって復号可能である、無線デバイス（１０、１０００、１１００）。
【請求項２０】
請求項１２から１６のいずれか一項に記載の方法の前記第１の無線デバイス（１０、１０００、１１００）として動作するように設定されている、
請求項１９に記載の無線デバイス（１０、１０００、１１００）。
【請求項２１】
無線デバイス（２０、８００、１１００）の少なくとも１つのプロセッサによって実行されることになるプログラムコードを含むコンピュータプログラムであって、前記プログラムコードの実行が、請求項１から１０のいずれか一項に記載の方法の前記第１の無線デバイス（２０、８００、１１００）として動作することを前記無線デバイス（２０、８００、１１００）に行わせる、コンピュータプログラム。
【請求項２２】
無線デバイス（１０、１０００、１１００）の少なくとも１つのプロセッサによって実行されることになるプログラムコードを含むコンピュータプログラムであって、前記プログラムコードの実行が、請求項１１から１６のいずれか一項に記載の方法の前記第１の無線デバイス（１０、１０００、１１００）として動作することを前記無線デバイス（１０、１０００、１１００）に行わせる、コンピュータプログラム。
【国際調査報告】
2021515444.tif 000016
2021515444.tif 000017